(57)【要約】【課題】無線タグの情報はその無線タグを所有する加入者宅の最短の場所にあるタグリーダに集め、加入宅からのタグの居場所の問い合わせは最短のタグリーダに行うことによって、ＣＡＴＶ局機器およびトラフィック量の軽減および分散を行う。【解決手段】無線タグＴ２２１Ａ１の情報を受信したタグリーダ２００ＡＲはホームリーダを確認してホームリーダ２２１ＡＲにタグ情報を送信する。加入者はＳＴＢＳ２２１Ａ１からホームリーダ２２１ＡＲに所有する無線タグＴ２２１Ａ１の情報を問い合わせ、受信してＴＶで表示する。これにより、家庭にある受信装置から子供のＩＤ情報をリクエストすることで、家庭でＲＦＩＤタグを保持した子供の移動履歴や所在地を確認できる。【選択図】図１
2005354247.tif 000002
【特許請求の範囲】
【請求項１】
無線タグの情報を受信するための無線信号受信手段と、
前記無線信号受信手段で受信した信号を保持する受信信号保持手段と、
ネットワークに接続するためのネットワーク接続手段と、
を備えた少なくともひとつ以上の中継装置と、
ネットワークに接続するためのネットワーク接続手段と、
所望の無線タグの情報を設定する無線タグ情報設定手段と、
前記無線タグ情報設定手段で設定された無線タグに関する情報を要求する信号を生成する、無線タグ情報要求信号生成手段と、
前記中継装置からの情報を処理する無線タグ情報処理手段と、
前記無線タグ情報処理手段の結果を出力あるいは表示する無線タグ情報出力手段を備えた少なくともひとつ以上の受信装置を具備し、
無線タグ情報を受信装置からリクエストし、中継装置が収集して返信し、受信装置で確認することができることを特徴とするネットワークシステム。
【請求項２】
任意の前記中継装置が受信した任意の前記無線タグの情報は、前記無線タグに関連付けられた中継装置に送信されることを特徴とする請求項１記載のネットワークシステム。
【請求項３】
前記受信装置は、特定の中継装置とのみ通信することを特徴とする請求項１または請求項２記載のネットワークシステム。
【請求項４】
前記特定の中継装置とは、前記受信装置が情報収集を要求する前記無線タグに関連付けられた中継装置であることを特徴とする請求項３記載のネットワークシステム。
【請求項５】
前記受信装置が通信する特定の中継装置とは、前記受信装置の最も近くに設置されている中継装置であり、ネットワークの通信量が軽減されることを特徴とする請求項３記載のネットワークシステム。
【請求項６】
前記中継装置は、前記無線信号受信手段で無線タグ情報を受信可能なとき、もしくは受信が不可能になったときの少なくとも一つ以上のタイミングでのみ稼動することを特徴とする、請求項１から請求項４のいずれか一項記載のネットワークシステム。
【請求項７】
前記中継装置における前記無線信号受信手段は、前記受信装置より指定する無線タグの情報のみを処理することを特徴とする、請求項１から請求項６のいずれか一項記載のネットワークシステム。
【請求項８】
前記中継装置は、無線タグの情報を収集するための信号を出力する無線信号出力手段を具備することを特徴する、請求項１から請求項７のいずれか一項記載のネットワークシステム。
【請求項９】
前記中継装置の前記無線信号受信手段は、時刻情報を生成する時刻情報生成手段を具備し、
前記受信信号保持手段は、無線タグの情報を収集した時刻も同時に保持することを特徴とする、請求項１から請求項８のいずれか一項記載のネットワークシステム。
【請求項１０】
前記中継装置や前記受信装置とネットワークを通して通信するネットワーク通信手段と、
前記中継装置から前記ネットワーク通信手段を通して前記無線タグ情報を取得する無線タグ情報取得手段と、
前記無線タグ情報取得手段が取得した無線タグ情報を保持する無線タグ情報保持手段と、
前記受信装置に表示させる情報を生成する情報生成手段と、
前記受信装置に前記情報生成手段で生成した情報と前記無線タグ情報とを前記ネットワーク通信手段を通して送信する無線タグ情報送信手段と、
を備えた少なくともひとつ以上の局装置を具備し、
前記無線タグ情報を前記中継装置が収集して前記局装置に送信し、前記局装置は前記受信装置からのリクエストに応じて前記無線タグ情報を送信することを特徴とする、請求項１から請求項９のいずれか一項記載のネットワークシステム。
【請求項１１】
前記局装置の前記情報生成手段によって生成される情報は、前記無線タグ情報保持手段で保持されている情報が含まれていることを特徴とする請求項１０記載のネットワークシステム。
【請求項１２】
前記中継装置は、外部機器とのインタフェース手段を具備し、
無線信号受信手段で受信した無線タグ情報に加え、前記外部機器から情報を収集することを特徴とする、請求項１から請求項１１のいずれか一項記載のネットワークシステム。
【請求項１３】
前記外部機器は前記中継装置と連動して動作することを特徴とする、請求項１２記載のネットワークシステム。
【請求項１４】
前記外部機器は、前記中継装置における前記無線信号受信手段で無線タグ情報を受信可能なとき、もしくは受信が不可能になったときの少なくとも一つ以上のタイミングでのみ稼動することを特徴とする、請求項１２または請求項１３記載のネットワークシステム。
【請求項１５】
前記外部機器は、前記中継装置にネットワークを介して特定の信号が入力されたときのみ稼動することを特徴とする、請求項１２から請求項１４のいずれか一項記載のネットワークシステム。
【請求項１６】
前記中継装置は、前記無線信号受信手段によって受信した無線タグ情報を前記受信装置および前記局装置の少なくとも一つ以上に送信し、
前記外部機器は収集した外部情報を前記受信装置へと送信し、
前記受信装置では前記無線タグ情報と前記外部情報を合わせて表示することを特徴とする、請求項１２から請求項１５のいずれか一項記載のネットワークシステム。
【請求項１７】
前記中継装置は、前記無線信号受信手段によって受信する前記無線タグ情報と、前記受信装置より送信される受信機の固有情報とを比較する比較手段を具備し、
前記無線タグ情報と前記固有情報または前記識別信号との比較結果が特定の条件を満たした時のみ前記無線タグ情報を前記受信装置に送信することを特徴とする、請求項１から請求項１６のいずれか一項記載のネットワークシステム。
【請求項１８】
前記無線タグは、外部からの制御信号で内部情報を書替えるための内部情報書替え手段を具備し、
外部からの制御信号で、無線タグの内部情報を書替え可能とすることを特徴とする、請求項１から請求項１７のいずれか一項記載のネットワークシステム。
【請求項１９】
前記無線タグは、時間情報を保持する時間情報保持手段を具備し、
所定の時間が経過した後は前記無線タグ情報の送信を停止することを特徴とする、請求項１から請求項１８のいずれか一項記載のネットワークシステム。
【請求項２０】
前記無線タグは、所定の時間が経過した後は無効情報を送信することを特徴とする、請求項１９記載のネットワークシステム。
【請求項２１】
前記無線タグは、所定の時間が経過した後に、前記内部情報書替え手段を用いて内部情報を書替えることを特徴とする、請求項１９または請求項２０記載のネットワークシステム。
【請求項２２】
前記受信装置は、前記無線タグ情報処理手段によって前記中継装置からの情報を処理した結果が特定の条件を満たしていた場合に前記無線タグ情報出力手段から警告を表示することを特徴とする、請求項１から請求項２１のいずれか一項記載のネットワークシステム。
【請求項２３】
前記局装置は、前記受信装置ごとに個別のＩＤを生成する受信装置ＩＤ生成手段と、
前記無線タグごとに個別のＩＤを生成する無線タグＩＤ生成手段と、
を具備し、
前記受信装置は前記固有情報を書替えるための固有情報書替え手段を具備し、
前記局装置で無線タグと受信装置を関連付けて管理することを特徴とする、請求項１０から請求項２２のいずれか一項記載のネットワークシステム。
【請求項２４】
前記無線タグは前記中継装置からの信号を受信したことを使用者に通知する信号受信通知機能を備えることを特徴とする、請求項１から請求項２３のいずれか一項記載のネットワークシステム。
【請求項２５】
前記無線タグは、前記受信装置より送信された情報を表示する情報表示手段を具備することを特徴とする、請求項１から請求項２４のいずれか一項記載のネットワークシステム。
【請求項２６】
前記無線タグは、情報を入力する情報入力手段と、
前記入力情報を前記受信装置あるいは前記局装置あるいは前記中継装置の少なくとも１つ以上へ送信する情報送信手段と、
を具備することを特徴とする、請求項１から請求項２５のいずれか一項記載のネットワークシステム。
【請求項２７】
前記無線タグは情報を送信したことを無線タグ保持者に通知する信号送信通知機能を具備することを特徴とする、請求項１から請求項２６のいずれか一項記載のネットワークシステム。
【請求項２８】
ネットワーク上の中継器に、請求項１から請求項２７に記載の少なくともひとつ以上の中継装置の機能を持つことを特徴とする請求項１から請求項２７のいずれか一項記載のネットワークシステム。
【請求項２９】
前記ネットワークとしてＣＡＴＶネットワークを利用することを特徴とする請求項１から請求項２８のいずれか一項記載のネットワークシステム。
【請求項３０】
無線タグの情報を受信するための無線信号受信手段と、
前記無線信号受信手段で受信した信号を保持する受信信号保持手段と、
ネットワークに接続するためのネットワーク接続手段と、
を具備し、
収集した無線タグ情報をネットワークに接続された受信装置からリクエストに応じて送信することを特徴とする中継装置。
【請求項３１】
受信した任意の前記無線タグの情報を、前記無線タグに関連付けられた他の中継装置に送信することを特徴とする請求項３０記載の中継装置。
【請求項３２】
前記無線信号受信手段で無線タグ情報を受信可能なとき、もしくは受信が不可能になったときの少なくとも一つ以上のタイミングでのみ稼動することを特徴とする、請求項３０または請求項３１記載の中継装置。
【請求項３３】
無線タグの情報を収集するための信号を出力する無線信号出力手段を具備することを特徴する、請求項３０から請求項３２のいずれか一項記載の中継装置。
【請求項３４】
前記無線信号受信手段は、時刻情報を生成する時刻情報生成手段を具備し、
無線タグの情報を収集した時刻も同時に保持することを特徴とする、請求項３０から請求項３３のいずれか一項記載の中継装置。
【請求項３５】
外部機器とのインタフェース手段を具備し、
無線信号受信手段で受信した無線タグ情報に加え、前記外部機器から情報を収集することを特徴とする、請求項３０から請求項３４のいずれか一項記載の中継装置。
【請求項３６】
前記無線信号受信手段によって受信する前記無線タグ情報と、前記受信装置より送信される受信機の固有情報とを比較する比較手段を具備し、
前記無線タグ情報と前記固有情報または前記識別信号との比較結果が特定の条件を満たした時のみ前記無線タグ情報を前記受信装置に送信することを特徴とする、請求項３０から請求項３５のいずれか一項記載の中継装置。
【請求項３７】
ネットワークに接続するためのネットワーク接続手段と、
所望の無線タグの情報を設定する無線タグ情報設定手段と、
前記無線タグ情報設定手段で設定された無線タグに関する情報を要求する信号を生成する、無線タグ情報要求信号生成手段と、
前記中継装置からの情報を処理する無線タグ情報処理手段と、
前記無線タグ情報処理手段の結果を出力あるいは表示する無線タグ情報出力手段と、
を具備し、無線タグ情報を収集した中継装置にリクエストを送信することを特徴とする受信装置。
【請求項３８】
特定の中継装置とのみ通信することを特徴とする請求項３７記載の受信装置。
【請求項３９】
前記特定の中継装置とは、情報収集を要求する前記無線タグに関連付けられた中継装置であることを特徴とする請求項３７または請求項３８記載の受信装置。
【請求項４０】
特定の中継装置とは、前記受信装置の最も近くに設置されている中継装置であり、ネットワークの通信量が軽減されることを特徴とする請求項３８記載の受信装置。
【請求項４１】
前記無線タグ情報処理手段によって前記中継装置からの情報を処理した結果が特定の条件を満たしていた場合に前記無線タグ情報出力手段から警告を表示することを特徴とする、請求項３７から請求項４０のいずれか一項記載の受信装置。
【請求項４２】
前記中継装置や前記受信装置とネットワークを通して通信するネットワーク通信手段と、
前記中継装置から前記ネットワーク通信手段を通して前記無線タグ情報を取得する無線タグ情報取得手段と、
前記無線タグ情報取得手段が取得した無線タグ情報を保持する無線タグ情報保持手段と、
前記受信装置に表示させる情報を生成する情報生成手段と、
前記受信装置に前記情報生成手段で生成した情報と前記無線タグ情報とを前記ネットワーク通信手段を通して送信する無線タグ情報送信手段と、
を具備し、
前記中継装置が収集した無線タグ情報を受信し、前記受信装置からのリクエストに応じて前記無線タグ情報を送信することを特徴とする局装置。
【請求項４３】
前記情報生成手段によって生成される情報は、前記無線タグ情報保持手段で保持されている情報が含まれていることを特徴とする請求項４２記載の局装置。
【発明の詳細な説明】
【技術分野】
【０００１】
本発明はＣＡＴＶネットワークを利用した、情報収集システム、情報監視システム、徘徊・盗難防止システムに関するものである。
【背景技術】
【０００２】
近年の犯罪増加に伴い、外出先の子供がどこに居るのか知りたい、安全に行動しているか知りたいというニーズが高まっている。また、盗難物や徘徊老人の位置を検出して、早期に発見することができるシステムに対してのニーズがある。
【０００３】
これらを解決する手段として、ネットワークを利用した地域探索システムがある。
【０００４】
従来の地域探索システムとしては、無線タグの発信する無線電波を、各所に設置したアンテナ付カメラで受信し、受信画像をセンター局に送信するというものがあった（例えば、特許文献１参照）。
【０００５】
従来技術の内容を、図３３を基に説明する。
【０００６】
この移動体認識及び追尾撮像監視システムは、撮像・監視を行おうとする屋内外のエリアに撮像・監視手段ｘ１、ｘ２、ｘ３、・・・が配置され、これらを統轄管理するシステム管理手段ｘ１０が設けられる。それぞれの撮像・監視手段ｘ１、ｘ２、ｘ３、・・・は、それぞれ自動的に、または設定によってパン、チルド、ズーミングなどにより監視可能な領域ｘＡ、ｘＢ、ｘＣ、・・・を有している。システム管理手段ｘ１０は、個々の撮像・監視手段ｘ１、ｘ２、ｘ３、・・・と無線またはメタルワイヤケーブル、光ケーブル等の有線で連係されており、信号の送受信、モニタ装置によるリアルタイムの画像表示、録画等をその場でまたは遠方で実施することができるように構成されている。被撮像・監視対象である移動体ｘ２０、ｘ３０、・・・は、この例では人間の形に描かれており、識別信号発生手段ｘ２２、ｘ３２、・・・が付加されている。これら識別信号発生手段は、例えばＩＣカードまたは無線タグとして構成され、常時またはシステム側からの要求に応じて当該手段に割り当てられたＩＤコードその他の所要情報を発信する。また、前記識別信号発生手段からの識別信号を受信する信号授受手段は、撮像・監視手段ｘ１、ｘ２、ｘ３、・・・におくことができるが、システム管理部ｘ１０にあってもよい。この場合の信号授受の形態は、例えば携帯電話が待ち受け状態にある際に、基地局との間で交換されている交信可能圏内にあることの確認動作と同様である。このような確認動作を行っているため、撮像・監視手段ｘ１、ｘ２、ｘ３、・・・は、目的とする識別信号発生手段ｘ２２、ｘ３２、・・・の発生する信号源を判定して追尾するように構成できる。したがって、自サービスエリアに被撮像・監視対象である移動体ｘ２０、ｘ３０、・・・が存在すればその挙動を認識して、追尾しながら撮像してその出力信号を所要箇所に伝送することができる。被撮像・監視対象である移動体ｘ２０、ｘ３０、・・・が、矢印Ｘのように移動して、撮像・監視手段２の領域Ｂに移動した後は、撮像・監視手段ｘ１からのリレーを受けて撮像・監視手段ｘ２によって認識し、当該移動体の追尾および撮像・監視が可能となる。さらに、移動体が破線矢印Ｙのように、撮像・監視手段ｘ３の領域Ｃに移動した場合は、同様に撮像・監視手段２からのリレーを受けて撮像・監視手段ｘ３によって認識し、追尾および撮像・監視が可能となる。これらの移動体を実際に撮像・監視をするか否かは、システム管理手段ｘ１０側の判断による。なお、移動範囲が通路に沿っていて複雑な動きがないような特別の用途にあっては、撮像・監視手段を複数設ける代わりに、通路に沿って路面、壁面、天井等に設けられた線状移動手段によって移動させながら追尾し、撮像・監視するように構成することも可能である。また、領域Ａに複数の被撮像・監視対象ｘ２０、ｘ３０、・・・があった場合に、いずれの移動体に焦点を当てて追尾し撮像・監視するかはシステム管理手段ｘ１０によって適宜選択できる。このような区別は、識別信号発生手段ｘ２２、ｘ３２、・・・、それぞれのＩＤコードによって容易に判別することができる。
【０００７】
一方、地域ネットワークとしてはＣＡＴＶがあり、ローカル番組などを独自に放送してきたが、新たなサービスの検討も進められている。
【０００８】
ＣＡＴＶネットワークのトポロジーの一例を図３４に示す。
【０００９】
図３４において、１００はＣＡＴＶ局、２００および２００Ａおよび２００Ｂおよび２００ＣはＣＡＴＶネットワークの幹線を分岐するための分岐器（Ｂｒａｎｃｈ  Ａｍｐｌｉｆｉｅｒ以後ＢＡと称す）、２１０Ａおよび２２０Ａおよび２３０Ａおよび２１０Ｃおよび２２０Ｃおよび２３０ＣはＣＡＴＶネットワークの幹線を拡張するために信号の増幅などを行う延伸器（Ｅｘｔｅｎｔｉｏｎ  Ａｍｐｌｉｆｉｅｒ：以後ＥＡと称す）、２１１Ａおよび２１２Ａおよび２１３Ａおよび２１１Ｃおよび２１２Ｃおよび２１３Ｃは幹線から各家庭に信号を分岐するためのタップオフ装置（以後ＴＯと称す）、２１２Ａ１から２１２Ａ３はＣＡＴＶ加入宅である。
【００１０】
図３４にあるように、ＣＡＴＶネットワークはＣＡＴＶ局を頂点とする階層構造を持ったツリー構造のトポロジーであり、ＣＡＴＶ局から分岐や延長を加えて地域内でのネットワークを構成している。
【００１１】
徘徊老人や子供の行動範囲を考えた場合、地域内でのセキュリティシステムとしてＣＡＴＶネットワークを利用した位置検出システムが考えられる。
【特許文献１】特開２００３−３１７１６９号公報
【発明の開示】
【発明が解決しようとする課題】
【００１２】
しかしながら、前記従来の構成をＣＡＴＶネットワークで実現しようとする場合、無線タグの収集装置をネットワーク上のいずれの場所に設置されるにしても、システム管理手段ｘ１０はＣＡＴＶ局となり、受信した画像やタグ情報やＣＡＴＶ局に情報が集まり、且つユーザーからの無線タグ情報収集リクエストもＣＡＴＶ局に集まるため、トラフィックの集中が発生したり、ＣＡＴＶ局機器の負荷が大きくなったりする課題を有していた。
【００１３】
また、監視される人物が知らないうちに、第三者に無線タグを持たされた場合、常に監視される課題があった。
【００１４】
本発明は、前記従来の課題を解決するもので、トラフィック集中や、ＣＡＴＶ局機器の負荷を軽減しつつ、家庭から位置情報や履歴情報を参照できる個人向け情報収集システムを提供することを目的とする。
【課題を解決するための手段】
【００１５】
前記従来の課題を解決するために、本発明の情報収集システムは、ＣＡＴＶネットワークが階層的なツリー構造であることに着目し、無線タグリーダをＢＡやＥＡ及びＴＯ等の中継装置に設置し、中継装置で無線タグを検出した場合、１つ上の階層の中継装置に情報を送り、一つ上の階層の中継装置は、無線タグを持つ人がツリーの階層を越えて移動した場合にのみ、移動情報をさらに上の階層の中継装置に情報を発行することにより、ＣＡＴＶ局への情報転送量は少なくなり、トラフィック量を軽減させる。また、無線タグの情報はその無線タグを所有する加入者宅の最短の場所にある無線タグリーダ（以後ホームリーダと称す）に集め、且つ、加入宅からの無線タグの居場所の問い合わせはホームリーダに行うことによって、ＣＡＴＶ局機器およびトラフィック量の軽減および分散を行う。また、無線タグのＩＤをＣＡＴＶ受信機のＩＤと対応付け、有効期限を設けることで無線タグを持つ人が無秩序に追跡されることを防ぐ。
【００１６】
すなわち、無線タグの情報を受信するための無線信号受信手段と、前記無線信号受信手段で受信した信号を保持する受信信号保持手段と、ネットワークに接続するためのネットワーク接続手段と、を備えた少なくともひとつ以上の中継装置と、ネットワークに接続するためのネットワーク接続手段と、所望の無線タグの情報を設定する無線タグ情報設定手段と、前記無線タグ情報設定手段で設定された無線タグに関する情報を要求する信号を生成する、無線タグ情報要求信号生成手段と、前記中継装置からの情報を処理する無線タグ情報処理手段と、前記無線タグ情報処理手段の結果を出力あるいは表示する無線タグ情報出力手段を備えた少なくともひとつ以上の受信装置を具備し、無線タグ情報を受信装置からリクエストし、中継装置が収集して返信し、受信装置で確認することができることを特徴とする。
【００１７】
本発明の一実施の形態において、任意の前記中継装置が受信した任意の前記無線タグの情報は、前記無線タグに関連付けられた中継装置に送信されることを特徴とする。
【００１８】
本発明の一実施の形態において、前記受信装置は、特定の中継装置とのみ通信することを特徴とする。
【００１９】
また、本発明の一実施の形態において、前記特定の中継装置とは、前記受信装置が情報収集を要求する前記無線タグに関連付けられた中継装置であることを特徴とする。
【００２０】
また、本発明の一実施の形態において、前記受信装置が通信する特定の中継装置とは、前記受信装置の最も近くに設置されている中継装置であり、トラフィックの通信量が軽減されるとなることを特徴とする。
【００２１】
また、本発明の一実施の形態において、前記中継装置は、前記無線信号受信手段で無線タグ情報を受信可能なとき、もしくは受信が不可能になったときの少なくとも一つ以上のタイミングでのみ稼動することを特徴とする。
【００２２】
また、本発明の一実施の形態において、前記中継装置における前記無線信号受信手段は、前記受信装置より指定する無線タグの情報のみを処理することを特徴とする。
【００２３】
本発明の一実施の形態において、前記中継装置は、無線タグの情報を収集するための信号を出力する無線信号出力手段を具備することを特徴する。
【００２４】
また、本発明の一実施の形態において、前記中継装置の前記無線信号受信手段は、時刻情報を生成する時刻情報生成手段を具備し、前記受信信号保持手段は、無線タグの情報を収集した時刻も同時に保持することを特徴とする。
【００２５】
また、本発明の一実施の形態において、ネットワークに接続するためのネットワーク接続手段と、前記中継装置や前記受信装置とネットワークを通して通信するネットワーク通信手段と、前記中継装置から前記ネットワーク通信手段を通して前記無線タグ情報を取得する無線タグ情報取得手段と、前記無線タグ情報取得手段が取得した無線タグ情報を保持する無線タグ情報保持手段と、前記受信装置に表示させる情報を生成する情報生成手段と、前記受信装置に前記情報生成手段で生成した情報と前記無線タグ情報とを前記ネットワーク通信手段を通して送信する無線タグ情報送信手段とを備えた少なくともひとつ以上の局装置を具備し、前記無線タグ情報を前記中継装置が収集して前記局装置に送信し、前記局装置は前記受信装置からのリクエストに応じて前記無線タグ情報を送信することを特徴とする。
【００２６】
また、本発明の一実施の形態において、前記局装置の前記情報生成手段によって生成される情報は、前記無線タグ情報保持手段で保持されている情報が含まれていることを特徴とする。
【００２７】
また、本発明の一実施の形態において、前記中継装置は、外部機器とのインタフェース手段を具備し、無線信号受信手段で受信した無線タグ情報に加え、前記外部機器から情報を収集することを特徴とする。
【００２８】
また、本発明の一実施の形態において、前記外部機器は前記中継装置と連動して動作することを特徴とする。
【００２９】
また、本発明の一実施の形態において、前記外部機器は、前記中継装置における前記無線信号受信手段で無線タグ情報を受信可能なとき、もしくは受信が不可能になったときの少なくとも一つ以上のタイミングでのみ稼動することを特徴とする。
【００３０】
また、本発明の一実施の形態において、前記外部機器は、前記中継装置にネットワークを介して特定の信号が入力されたときのみ稼動することを特徴とする。
【００３１】
本発明の一実施の形態において、前記中継装置は、前記無線信号受信手段によって受信した無線タグ情報を前記受信装置および前記局装置の少なくとも一つ以上に送信し、前記外部機器は収集した外部情報を前記受信装置へと送信し、前記受信装置では前記無線タグ情報と前記外部情報を合わせて表示することを特徴とする。
【００３２】
また、本発明の一実施の形態において、前記無線タグは、外部からの制御信号で内部情報を書替えるための内部情報書替え手段を具備し、外部からの制御信号で、無線タグの内部情報を書替え可能とすることを特徴とする。
【００３３】
また、本発明の一実施の形態において、前記中継装置は、前記無線信号受信手段によって受信する前記無線タグ情報と、前記受信装置より送信される受信機の固有情報とを比較する比較手段を具備し、前記無線タグ情報と前記固有情報または前記識別信号との比較結果が特定の条件を満たした時のみ前記無線タグ情報を前記受信装置に送信することを特徴とする。
【００３４】
また、本発明の一実施の形態において、前記無線タグは、時間情報を保持する時間情報保持手段を具備し、所定の時間が経過した後は前記無線タグ情報の送信を停止することを特徴とする。
【００３５】
また、本発明の一実施の形態において、前記無線タグは、所定の時間が経過した後は無効情報を送信することを特徴とする。
【００３６】
また、本発明の一実施の形態において、前記無線タグは、所定の時間が経過した後に、前記内部情報書替え手段を用いて内部情報を書替えることを特徴とする。
【００３７】
また、本発明の一実施の形態において、前記受信装置は、前記無線タグ情報処理手段によって前記中継装置からの情報を処理した結果が特定の条件を満たしていた場合に前記無線タグ情報出力手段から警告を表示することを特徴とする。
【００３８】
また、本発明の一実施の形態において、前記局装置は、前記受信装置ごとに個別のＩＤを生成する受信装置ＩＤ生成手段と、前記無線タグごとに個別のＩＤを生成する無線タグＩＤ生成手段と、を具備し、前記受信装置は前記固有情報を書替えるための固有情報書替え手段を具備し、前記局装置で無線タグと受信装置を関連付けて管理することを特徴とする。本発明の一実施の形態において、前記無線タグは前記中継装置からの信号を受信したことを使用者に通知する信号受信通知機能を備えることを特徴とする。
【００３９】
また、本発明の一実施の形態において、前記無線タグは、前記受信装置より送信された情報を表示する情報表示手段を具備することを特徴とする。
【００４０】
また、本発明の一実施の形態において、前記無線タグは、情報を入力する情報入力手段と、前記入力情報を前記受信装置あるいは前記局装置あるいは前記中継装置の少なくとも１つ以上へ送信する情報送信手段とを具備することを特徴とする。
【００４１】
また、本発明の一実施の形態において、前記無線タグは情報を送信したことを無線タグ保持者に通知する信号送信通知機能を具備することを特徴とする。
【００４２】
本構成によって、各家庭などに設置した受信装置で、無線タグを持った対象の、現在位置や履歴情報を取得して使用者に提示することができる。
【発明の効果】
【００４３】
本発明の情報収集システムによれば、トラフィックやＣＡＴＶ局装置の負荷を集中させることがなくなるので、ＣＡＴＶネットワークを用いて、安価に、家庭において子供や所有物の位置情報、行動履歴情報などの地域セキュリティ情報を観察することができる。
【発明を実施するための最良の形態】
【００４４】
以下本発明の実施の形態について、図面を参照しながら説明する。
【００４５】
（実施の形態１）
図１は、本発明の実施の形態１における無線タグ情報収集システムのネットワーク構成図である。図１は図３４に示されたＣＡＴＶネットワークと同様にツリー構成をとるが、説明に用いないツリー部を省略して示している。
【００４６】
図１において、２００Ｒおよび２００ＡＲおよび２００ＢＲおよび２００ＣＲはそれぞれＢＡ２００、２００Ａ、２００Ｂ、２００Ｃの前段に設けられた、通信機能を持つ無線タグリーダ、２２０ＡＲおよび２１０ＣＲはそれぞれＥＡ２２０Ａおよび２１０Ｃの前段に設けられた、通信機能を持つ無線タグリーダ、２２１ＡＲおよび２１１ＣＲはそれぞれＴＯ２２１Ａおよび２１１Ｃの前段に設けられた、通信機能を持つ無線タグリーダ、Ｓ２２１Ａ１およびＳ２１１Ｃ１は加入者宅２２１Ａおよび２１１Ｃに設置されたＳＴＢ（Ｓｅｔ  Ｔｏｐ  Ｂｏｘ：受信装置）、Ｔ２２１Ａ１は加入者宅Ａ１が所有する無線タグである。なお、図３４と同記号に関しては説明を省略する。
【００４７】
まず、無線タグの情報をその無線タグを所有する加入者宅の最短の場所にあるタグリーダであるホームリーダに集め、且つ、加入宅からのタグの居場所の問い合わせはホームリーダに行うことによって、ＣＡＴＶ局機器およびトラフィック量の軽減および分散を行う場合の説明を行う。
【００４８】
最初に概要を説明する。
【００４９】
無線タグＴ２２１Ａ１が自宅２２１Ａ１を出発し、自宅の最短の距離にあるＴＯ２２１Ａの近くを通ると、無線タグＴ２２１Ａ１が出力する信号をＴＯ２２１Ａの前段に設置された無線タグリーダ２２１ＡＲがその信号を受信し、Ｔ２２１Ａ１というＩＤとＴ２２１Ａ１のホームリーダのＩＤおよび受信時刻Ｔｉｍｅ１を確認する。無線タグが出力する信号の構成例を図２に示す。
【００５０】
図２において、Ｄ１０１は本発明の無線タグ情報収集システムを用いたＣＡＴＶ局で行われるサービスの種別を示すサービスＩＤ、Ｄ１０２は無線タグのホームリーダを示すホームリーダＩＤで、本実施例では無線タグリーダ２２１ＡＲが設置されているＴＯの２２１Ａ、Ｄ１０３は無線タグ自身の識別を行う無線タグＩＤで本実施例では２２１Ａ１、Ｄ１０４は各ＳＴＢの固有ＩＤである。
【００５１】
ここではＴ２２１Ａ１のホームリーダは自宅の最短の距離のＴＯ２２１Ａに設置されている２２１ＡＲ自身であるので、２２１ＡＲではＴ２２１Ａ１と受信時刻Ｔｉｍｅ１及びＳＴＢ＿ＩＤのみを保存する。
【００５２】
次に、無線タグＴ２２１Ａ１が図１の破線矢印の方向に進み、ＥＡ２２０Ａに近づくと、ＥＡ２２０Ａの前段に設置されている無線タグリーダ２２０ＡＲが無線タグＴ２２１Ａ１の信号を受信し、２２１Ａ１というＩＤとＴ２２１Ａ１のホームリーダのＩＤ２２１Ａおよび受信時刻Ｔｉｍｅ２およびＳＴＢ＿ＩＤを確認する。この時Ｔ２２１Ａ１のホームリーダは２２１Ａと記載されているため、２２０ＡＲはホームリーダ２２１ＡＲにＴ２２１Ａ１のＩＤと受信時刻Ｔｉｍｅ２とＳＴＢ＿ＩＤおよび自身のＩＤである、２２０ＡＲが設置されている２２０Ａを送信する。ホームリーダ２２１ＡＲではＴ２２１Ａ１がＴｉｍｅ２の時刻に無線タグリーダ２２０ＡＲの場所を通過したことをＳＴＢ＿ＩＤとともに記憶する。同様に、無線タグＴ２２１Ａ１が図１の破線矢印の方向に進み、ＢＡ２００Ａに近づくと、ＢＡ２００Ａの前段に設置されている無線タグリーダ２００ＡＲが無線タグＴ２２１Ａ１の信号を受信し、２２１Ａ１というＩＤとＴ２２１Ａ１のホームリーダのＩＤである２２１Ａおよび受信時刻Ｔｉｍｅ３およびＳＴＢ＿ＩＤを確認する。２００ＡＲはホームリーダ２２１ＡＲにＴ２２１Ａ１のＩＤと受信時刻Ｔｉｍｅ３およびＳＴＢ＿ＩＤと自身のＩＤである２００Ａを送信する。ホームリーダ２２１ＡＲではＴ２２１Ａ１がＴｉｍｅ３の時刻に無線タグリーダ２００ＡＲの場所を通過したことをＳＴＢ＿ＩＤとともに記憶する。ホームリーダ２２１ＡＲにデータを送信する場合は、変換テーブルを無線タグリーダが保持することによって、送信先のホームリーダのＩＰアドレスを知ることができる。図３にホームリーダＩＤとＩＰアドレスの変換テーブルの例を示す。
【００５３】
図３において、Ｄ１１０はホームリーダＩＤとホームリーダのＩＰアドレスを変換する変換テーブルであり、各無線タグリーダがＣＡＴＶ局などからブロードキャスト等であらかじめ送られて保持しているものとする。
【００５４】
なお、ＩＰアドレス自体をホームリーダＩＤにしたり、ＩＰアドレスの一部をＩＤにしたり、ＩＰアドレスを特定の計算式に代入して算出された値をＩＤとすることでＩＤからＩＰアドレスへの変換処理を軽減したり、変換テーブルＤ１１０を保持するためのメモリリソースを軽減することが可能となる。図４にホームリーダが保持するホーム信号の情報の構成例を示す。
【００５５】
図４において、Ｄ１１１はホームリーダが保持する無線タグＩＤとＳＴＢ＿ＩＤの関連表、Ｄ１１２は無線タグの信号を受信した無線タグリーダと受信時刻の表である。
【００５６】
無線タグのホームリーダ２２１ＡＲはＤ１１１に示されるように、ホームリーダ２２１ＡＲが管理する無線タグと無線タグを所有する加入者宅のＳＴＢ＿ＩＤが保持されている。
【００５７】
無線タグＩＤとＳＴＢ＿ＩＤの関連表Ｄ１１１は列Ａ、Ｂ、Ｃには無線タグリーダ２２１ＡＲをホームリーダとする無線タグ、すなわちＴＯで分岐されてケーブル線が引き込まれている加入者が所有する無線タグが、１行目には無線タグＩＤ、２行目には無線タグを所有する加入者宅のＳＴＢ＿ＩＤが示されている。無線タグの信号を受信した無線タグリーダと受信時刻の表Ｄ１１２には１行目には無線タグＩＤ、２行目以降には無線タグリーダ２２１ＡＲ自身が受信した、あるいは他の無線タグリーダが受信した無線タグの情報であるタグリーダのＩＤとその時刻が保持されている。本実施例においては、Ａ列に無線タグＴ２２１Ａ１の情報が保持されている。
【００５８】
無線タグＴ２２１Ａ１を所有する加入者２２１Ａ１は、無線タグの場所を確認したい場合、ＳＴＢのＳ２２１Ａ１からホームリーダ２２１ＡＲに自身のＳＴＢ＿ＩＤと問い合わせたい無線タグのＩＤを送信する。
【００５９】
Ｄ１１１に示された情報により、ホームリーダ２２１ＡＲではＳＴＢＩＤ＝Ｓ２２１Ａ１を確認し、所有する無線タグＩＤがＴ２２１Ａ１であることを確認する。ＳＴＢ＿ＩＤが一致したら、Ｄ１１２の行２＿１及び行３＿１および行４＿１に示された無線タグの信号を受信した場所、すなわち中継装置であるＥＡやＢＡの情報と、Ｄ１１２の行２＿２及び行３＿２および行４＿２に示された無線タグの信号を受信した時刻の組み合わせをＳＴＢのＳ２２１Ａ１に送信する。これにより、加入者は無線タグＴ２２１Ａ１がどの時刻にどこにいたかを知ることが可能となる。
【００６０】
なお、あらかじめブロードキャストでＳＴＢあるいはＣＡＴＶ局から加入者宅のＳＴＢＩＤと無線タグＩＤが送られ、保持されていて新たにサービスに加わるＳＴＢが発生するたびに情報を追加されていってもよい。
【００６１】
また、ＳＴＢ＿ＩＤはユーザーがリクエストする際に入力するのではなく、ＳＴＢが自動的に付与する。
【００６２】
同様に、加入者２１１Ｃ１は自身が所有する無線タグの情報を知りたい場合は、ＳＴＢのＳ２１１Ｃ１からホームリーダである２１１ＣＲに問い合わせる。
【００６３】
続いて、各構成機器の動作について詳細に説明する。最初に無線タグリーダについて、図５を用いて説明する。
【００６４】
図５において、Ｔ１００は無線タグ、２２１ＡＲは無線タグリーダ、２２１は無線タグリーダ２２１ＡＲが取り付けられているＴＯ、Ｒ１０は無線タグリーダ２２１ＡＲの電源供給部、Ｒ２０は無線タグリーダ２２１ＡＲをホームリーダとする無線タグの情報（以後ホーム信号と称す）を処理するホームリーダ部、Ｒ２１は無線タグリーダ２２１ＡＲをホームリーダとしている無線タグのＩＤや、他の無線タグリーダから送られてきた無線タグの情報、すなわち図４に示された情報を保持しておくホーム信号保持部、Ｒ２２はホーム信号のチェックを行い、ホーム信号保持部Ｒ２１に書き込みを行うホーム信号制御部、Ｒ３０は無線タグの信号を受信する無線信号受信部、Ｒ４０は無線信号受信部で受信した信号を保持する受信信号保持部、Ｒ５０は受信した無線タグ信号の処理を行う受信信号処理部、Ｒ６０はＣＡＴＶネットワークに接続するためのネットワーク接続部、Ｒ７０はケーブル線と結合するための結合部、Ｒ８０は時刻情報を生成する時刻情報生成部である。
【００６５】
まず、無線タグの信号を受信した無線タグリーダの動作について説明する。
【００６６】
ＣＡＴＶのケーブルにおいては、通常の信号に、ＡＣ６０Ｖが重畳されており、トランス（Ｔ）などで電源を取り出し、ＡＣ／ＤＣ変換を行って、ＤＣ２４Ｖを取り出してＥＡ等での増幅器の電源として用いる方法が一般的であり、電源部１０でも同様にして電源を取り出し、無線タグリーダ２２１ＡＲの電源を生成して、他の部に供給するが、本図では電源供給の接続信号は図示しない。無線信号受信部Ｒ３０で無線タグＴ１００の信号を受信すると、受信信号保持部Ｒ４０では受信した信号をいったん保持する。
【００６７】
なお、無線信号受信部Ｒ３０は一般的な無線タグリーダの読み取り部と同様のものであり、アンテナも含まれる。
【００６８】
受信情報保持部Ｒ４０で保持される情報は図２で示された、無線信号受信部Ｒ３０から送られてくる情報に加え、時刻情報生成部Ｒ８０で生成される現在時刻情報であり、これによって、受信された無線タグの情報と、受信した時刻が保持される。受信信号処理部Ｒ５０では受信信号保持部Ｒ４０に保存された信号を図６に示す流れで処理し、解析する。
【００６９】
受信信号処理部Ｒ５０では処理を開始後（Ｓ６０１）、受信信号保持部Ｒ４０への情報書き込みを確認すると（Ｓ６０２）、書き込まれた情報のチェックを行う。サービスＩＤ（図５の１０１）をチェックし（Ｓ６０３）、本サービス、すなわち、本ＣＡＴＶネットワークを用いた無線タグ情報収集サービスのＩＤと異なる場合は、本サービス以外の無線タグの情報と判断し、受信信号保持部Ｒ４０の情報を削除し（Ｓ６０４）、今回受信したデータの処理を終了する（Ｓ６１４）。サービスＩＤが本サービスを示していれば、ホームリーダＩＤ（図５の１０２）を読み取り（Ｓ６０５），チェックする（Ｓ６０６）。もし、ホームリーダＩＤが自身、すなわち０ｘ２２１Ａでなければ、他のホームリーダが管理するホーム情報と判断し、時刻情報生成部Ｒ８０で生成した受信時刻とともに、ネットワーク接続部Ｒ６０へ送信し（Ｓ６０７）、結合部Ｒ７０からホームリーダＩＤが示すホームリーダへ転送して（Ｓ６０８）、今回受信したデータの処理を終了する（Ｓ６１４）。
【００７０】
なお、他のホームリーダへは時刻情報は送らず、他のホームリーダ側で、今回送信した情報を受信した時刻を記憶するようにすれば転送する情報量を削減することも可能である。
【００７１】
受信したネットワーク接続部Ｒ６０は一般的なケーブルモデムと同等機能であればよいため、詳細な説明は省略する。また、他のホームリーダＩＤが自身、すなわち０ｘ２２１Ａを示していれば、ホーム信号処理部Ｒ２２へ送り（Ｓ６０９），ホーム信号としての処理を行う。ホーム信号処理部Ｒ２２では、受信した情報の無線タグＩＤ（図５のＤ１０３）を読み出し（Ｓ６１０），チェックする（Ｓ６１１）。チェックした無線タグＩＤがホーム信号保持部Ｒ２０に格納されているＩＤ，すなわち、無線タグリーダ２２１ＡＲが管理する無線タグのＩＤと一致していない場合は、不正データか、あるいはサービス登録前の情報として情報を破棄し（Ｓ６１２）、今回受信したデータの処理を終了する（Ｓ６１４）。無線タグＩＤが一致した場合は、無線タグの情報と、時刻情報生成部Ｒ８０で生成された受信時刻情報をホーム信号保持部Ｒ２１へ保持して（Ｓ６１４）、今回受信したデータの処理を終了する（Ｓ６１４）。
【００７２】
次に、他の無線タグリーダから自身のホーム信号を送られてきた場合の無線タグリーダの動作の流れに関して図７を用いて行う。無線タグリーダの構成は図５と同様である。
【００７３】
ネットワーク接続部Ｒ６０では処理を開始後（Ｓ７０１）、他の無線タグリーダからの情報を受け取ると（Ｓ７０２）、受信情報制御部Ｒ５０へ転送し（Ｓ７０３）、自身宛の情報であるかを確認する。以降は図６と同じ処理のため省略する。ただし、Ｓ６０７とＳ６１２ではもともと情報を保持しないので情報消去でなく、情報を無視する（Ｓ７０４）。
【００７４】
次にＳＴＢから無線タグ情報収集のリクエストがあった場合の無線タグリーダの動作について図８で説明する。
【００７５】
ネットワーク接続部Ｒ６０では処理を開始後（Ｓ７０１）、ＳＴＢからの情報を受け取ると（Ｓ７０２）、ＳＴＢ＿ＩＤを確認し（Ｓ８０１）、要求しているＳＴＢのＩＤと、情報を要求している無線タグのＩＤの組み合わせがホーム信号保持部Ｒ２１に格納している、無線タグＩＤとＳＴＢ＿ＩＤの組み合わせに一致しているかをチェックし（Ｓ８０２）、一致しなければ要求を無視する（Ｓ７０４）。一致すれば、受信情報制御部Ｒ５０へ転送し（Ｓ７０３）、自身宛の情報であるかを確認する。以降はＳ６１１までは図７と同じ処理のため省略するが、無線タグＩＤが一致した場合は、ホーム信号制御部Ｒ２２はホーム信号保持部Ｒ２１から該当する無線タグの情報を読み出して、ネットワーク接続部Ｒ６０から送信する。
【００７６】
これまでが無線タグリーダ２２１Ａ１の処理であったが、続いて無線タグの情報を収集するＳＴＢのＳ２２１Ａ１の動作について図９を用いて説明する。
【００７７】
図９において、Ｓ２２１Ａ１は無線タグＴ２２１Ａ１を所有する、加入者宅２２１Ａ１に設置されているＳＴＢ、４０１は所有する無線タグＴ２２１Ａ１に関する情報を設定する無線タグ情報設定部、４０２は無線タグの情報を取得するためＣＡＴＶネットワークを介してホームリーダなどに要求する無線タグ情報要求部、４０３はＣＡＴＶネットワークに接続するためのネットワーク接続部で一般的なケーブルモデムと同等なもの、４０４はネットワーク接続部４０３経由で収集された情報を処理する無線タグ情報処理部、４０５は無線タグ情報処理部４０４で受信した収集された無線タグの情報を外部へ出力する無線タグ情報出力部、４０６はＣＡＴＶ網から送られてくるテレビ放送などの信号を処理する放送処理部、４０７はＳＴＢの使用者が無線タグ情報の収集を行い、表示するための信号を入力するＵＩ部、５００は放送信号とＩＰなどのネットワーク信号を別に処理するために、ＣＡＴＶ信号を分岐する分岐器、６００は外的要因から宅内の機器を保護する保安器、７００はＴＶである。
【００７８】
ユーザーは図示しないＳＴＢのリモコンなどを使って、ＳＴＢに無線タグの情報を要求すると、ＳＴＢのＳ２２１Ａ１ではＵＩ部４０７でその要求を確認する。なお、無線タグ情報の要求画面はＣＡＴＶ局の自主放送画面や、データ放送画面でＢＭＬ記述を用いて形成可能である。ＵＩ部で要求を確認すると、無線タグ情報要求部４０２は、無線タグ情報設定部４０１に格納されている、ＳＴＢのＳ２２１Ａ１がある加入者２２１Ａ１が所有している無線タグのＩＤであるＴ２２１Ａ１と、ホームリーダである２２１ＡＲのＩＰアドレスを読み出して、ネットワーク接続部４０３から分岐器５００、保安器６００を経由して、ホームリーダ２２１ＡＲにリクエスト信号を送信する。ホームリーダ２２１ＡＲから無線タグ情報が送られてきたら、無線タグ情報処理部４０４で無線タグＴ２２１Ａ１が検出された時刻と無線タグリーダＩＤを抽出して、図１０のＤ１２０に示すあらかじめ保持していた無線タグリーダＩＤと所在の場所を関連付けた変換テーブルで無線タグ情報出力部４０５ではＴＶで表示できるようなＯＳＤ（Ｏｎ  Ｓｃｒｅｅｎ  Ｄｉｓｐｌａｙ）等の文字情報に変換し、放送処理部４０６が処理可能なトランスポートパケット等のフォーマットに変換して放送処理部４０６に送る。放送処理部４０６が持つ表示機能を用いてＴＶ７００に出力する。図１０のＤ１２１にＴＶ７００上での表示形式の一例を示す。
【００７９】
なお、無線タグ情報は無線タグ処理部４０４あるいはマザーリーダ２２１ＡＲでＢＭＬ記述に変換してデータ放送形式でＴＶ７００に表示させることも可能である。
【００８０】
また、最新情報だけを保持して、最終の居場所を表示することで取り扱う情報量を軽減することも可能である。
【００８１】
また、変換テーブルＤ１２０と関連付けた、ＢＭＬで記述された地図情報を無線タグ情報処理部４０４で保持し、無線タグの所在地を地図上であらわすことも可能である。地図上に現在位置を示す方法はカーナビゲーションシステム等で様々な方法が広く用いられているため、その方法は限定せず、ここでは説明を省略する。
【００８２】
次に、無線タグの動作について図１１を用いて説明する。図１１は本発明の実施の形態で用いられる無線タグの構成図の一例であり、本発明での無線タグの構成は本図に限定されない。
【００８３】
図１１において、Ｔ１００は無線タグ、Ｔ１０１は各無線タグ固有の無線タグＩＤおよびホームリーダＩＤを保持するＩＤ保持部、Ｔ１０２はＩＤ保持部Ｔ１０１に保持されている情報を読み出すＩＤ読み出し部、Ｔ１０３は送信部、Ｔ１０４は必要に応じて電波の受信も行う通信部である。
【００８４】
なお、無線タグＴ１００は図示しない電源供給部も内部に具備している。
【００８５】
ＩＤ保持部Ｔ１０１は図２のＤ１０１からＤ１０４の構成をとる情報を保持し、ＩＤ読み出し部Ｔ１０２では常時あるいは周期的にＩＤ保持部Ｔ１０１から情報を読み出し、送信部Ｔ１０３から情報を送信する。このようにして送信された情報を無線タグリーダが受信する。
【００８６】
なお、前記実施の形態では無線タグリーダは無線タグを受信した場合にホームリーダに情報を送信していたが、無線タグの受信が途切れた場合に送信しても同様の効果が得られる。また、受信した場合および途切れた両方のタイミングでホームリーダに情報を送信することによって、より詳細な情報をユーザーに送ることが可能となる。
【００８７】
また、無線タグリーダはあらかじめＳＴＢから要求や登録があった無線タグの情報のみを処理して送信することによって、ネットワークのトラフィックを抑制することが可能となる。
【００８８】
また、無線タグのホームリーダの関連情報は最初にブロードキャストで全無線タグリーダに送付しておいてもよい。
【００８９】
また、図５はＴＯの前段に取り付けられた無線タグリーダについて記述してあるが、ホームリーダでないＥＡやＢＡの無線タグリーダの場合はＲ２０のホームリーダ部は必須構成ではない。
【００９０】
（実施の形態２）
次に、中継装置で無線タグを検出した場合、１つ上の階層の中継装置に情報を送り、一つ上の階層の中継装置は、無線タグを持つ人がツリーの階層を越えて移動した場合にのみ、移動情報をさらに上の階層の中継装置もしくはＣＡＴＶ局に情報を発行することにより、トラフィック量を軽減させる場合の、発明の実施の形態について図１２を用いて説明を行う。図１２は図３４に示されたＣＡＴＶネットワークと同様にツリー構成をとるが、説明に用いないツリー部を省略して示している。
【００９１】
図１２において２３０ＡＲおよび２３１ＡＲおよび２１０ＢＲおよび２１１ＢＲはＥＡやＴＯに設置された無線タグリーダである。図５および図３４と同じ記号に関しては説明を省略する。
【００９２】
最初に、無線タグＴ２２１Ａ１が自宅２２１Ａ１を出発し、自宅の最短の距離にあるＴＯ２２１Ａの近くを通ると、無線タグＴ２２１Ａ１が出力する信号をＴＯ２２１Ａの前段に設置された無線タグリーダ２２１ＡＲがその信号を受信する。無線タグリーダ２２１ＡＲは無線タグＴ２２１Ａ１の信号を受信し、無線タグＴ２２１Ａ１が配下に入ったことを、ひとつ上の階層にある無線タグリーダ２２０ＡＲに通信し、無線タグリーダ２２０ＡＲでは、無線タグＴ２２１Ａ１が無線タグリーダ「２２１ＡＲ」の配下にあると記憶する。無線タグリーダ２２０ＡＲは無線タグＴ２２１Ａ１が配下に入ったことをひとつ上の階層にある無線タグリーダ２００ＡＲに通信し、無線タグリーダ２００ＡＲでは、無線タグＴ２２１Ａ１が無線タグリーダ「２２０ＡＲ」の配下にあると記憶する。以降同様に、無線タグリーダ２００ＡＲは無線タグリーダ２００Ｒに無線タグリーダＴ２２１Ａ１が配下に入ったことを通信し、無線タグリーダ２００Ｒでは、無線タグＴ２２１Ａ１が無線タグリーダ「２００ＡＲ」の配下にあると記憶する。無線タグリーダ２００ＲはＣＡＴＶ局１００に無線タグリーダＴ２２１Ａ１が配下に入ったことを通信してもよいし、自身で管理してもよい。本実施の形態では無線タグリーダ２００が管理する場合で説明を行う。
【００９３】
次に、無線タグＴ２２１Ａ１が破線矢印方向に移動すると、無線タグリーダ２２１ＡＲでなく、無線タグリーダ２３１ＡＲが無線タグＴ２２１Ａ１の信号を受信する。無線タグリーダ２３１ＡＲは無線タグＴ２２１Ａ１の信号を受信し、無線タグＴ２２１Ａ１が配下に入ったことを、ひとつ上の階層にある無線タグリーダ２３０ＡＲに通信し、無線タグリーダ２３０ＡＲでは、無線タグＴ２２１Ａ１が無線タグリーダ「２３１ＡＲ」配下にあると記憶する。以降同様に、無線タグリーダ２３０ＡＲは無線タグリーダ２００ＡＲに無線タグリーダＴ２２１Ａ１が配下に入ったことを通信する。
【００９４】
また、無線タグリーダ２２１ＡＲは無線タグＴ２２１Ａ１の信号を受信しなくなったことをひとつ上の階層にある無線タグリーダ２２０ＡＲに通信し、無線タグリーダ２２０ＡＲでは、無線タグＴ２２１Ａ１が無線タグリーダ「２２１ＡＲ」の配下から外れたことを記憶する。以降同様に、無線タグリーダ２２０ＡＲは無線タグリーダ２００ＡＲに無線タグリーダＴ２２１Ａ１が配下から外れたことを通信する。
【００９５】
これにより、無線タグリーダ２００ＡＲは、無線タグＴ２２１Ａ１が無線タグリーダ「２３０ＡＲ」の配下に移動したことが確認できる。この時、無線タグリーダ２００ＡＲは自身の配下に無線タグＴ２２１ＡＲがあることには変わりないのでひとつ上の階層にある無線タグリーダ２００Ｒには通信しない。
【００９６】
続いて無線タグＴ２２１Ａ１が破線矢印方向に移動すると、無線タグリーダ２３１ＡＲでなく、無線タグリーダ２１１ＢＲが無線タグＴ２２１Ａ１の信号を受信する。まず、無線タグリーダ２１１ＢＲは無線タグＴ２２１Ａ１の信号を受信し、無線タグＴ２２１Ａ１が配下に入ったことを、ひとつ上の階層にある無線タグリーダ２１０ＢＲに通信し、無線タグリーダ２１０ＢＲでは、無線タグＴ２２１Ａ１が無線タグリーダ「２１１ＢＲ」の配下にあると記憶する。無線タグリーダ２１０ＢＲは無線タグＴ２２１Ａ１が配下に入ったことをひとつ上の階層にある無線タグリーダ２００ＢＲに通信し、無線タグリーダ２００ＢＲでは、無線タグＴ２２１Ａ１が無線タグリーダ「２１０ＢＲ」の配下にあると記憶する。以降同様に、無線タグリーダ２００ＢＲは無線タグリーダ２００Ｒに無線タグリーダＴ２２１Ａ１が配下に入ったことを通信し、無線タグリーダ２００Ｒでは、無線タグＴ２２１Ａ１が無線タグリーダ「２００ＢＲ」の配下にあると記憶する。
【００９７】
また、無線タグリーダ２３１ＡＲは無線タグＴ２２１Ａ１の信号を受信しなくなったことをひとつ上の階層にある無線タグリーダ２３０ＡＲに通信し、無線タグリーダ２３０ＡＲでは、無線タグＴ２２１Ａ１が無線タグリーダ「２３１ＡＲ」の配下から外れたことを記憶する。無線タグリーダ２３０ＡＲは無線タグＴ２２１Ａ１の信号を受信しなくなったことをひとつ上の階層にある無線タグリーダ２００ＡＲに通信し、無線タグリーダ２００ＡＲでは、無線タグＴ２２１Ａ１が無線タグリーダ「２３０ＡＲ」の配下から外れたことを記憶する。同様に、無線タグリーダ２００ＡＲは無線タグＴ２２１Ａ１の信号を受信しなくなったことをひとつ上の階層にある無線タグリーダ２００Ｒに通信し、無線タグリーダ２００Ｒでは、無線タグＴ２２１Ａ１が無線タグリーダ「２００ＡＲ」の配下から外れたことを記憶する。
【００９８】
これにより、無線タグリーダ２００Ｒは、無線タグＴ２２１Ａ１が無線タグリーダ「２００ＡＲ」及び「２３０ＡＲ」および「２３１ＡＲ」の配下から「２００ＢＲ」および「２１０ＢＲ」および「２１１ＢＲ」の配下に移動したことが確認できる。
【００９９】
なお、無線タグリーダは無線タグが配下から外れたことを記憶せずに、消去してもよい。
【０１００】
加入者２２１Ａ１が所有する無線タグＴ２２１Ａ１の居場所を確認する場合は、ＳＴＢのＳ２２１Ａ１からＣＡＴＶ局１００にリクエスト信号を発行する。リクエストの方法は実施の形態１で図９を用いて説明した内容と同様で、問合せ先がＴＯ２２１ＡＲからＣＡＴＶ局１００に変わるだけである。ＣＡＴＶ局１００は無線タグリーダ２００Ｒに「Ｔ２２１Ａ１」の要求を発行すると、無線タグリーダ２００Ｒは保持している内容から無線タグＴ２２１Ａ１は無線タグリーダ２００ＢＲの配下にあることが確認できるので無線タグリーダ２００ＢＲに「Ｔ２２１Ａ１」の要求を発行する。無線タグリーダ２００ＢＲは保持している内容から無線タグＴ２２１Ａ１は無線タグリーダ２１０ＢＲの配下にあることが確認できるので無線タグリーダ２１０ＢＲに「Ｔ２２１Ａ１」の要求を発行する。同様に、無線タグリーダ２１０ＢＲは保持している内容から無線タグＴ２２１Ａ１は無線タグリーダ２１１ＢＲの配下にあることが確認できるので無線タグリーダ２１１ＢＲに「Ｔ２２１Ａ１」の要求を発行する。無線タグリーダ２１１ＢＲは自身が「Ｔ２２１Ａ１」を検出したことをＣＡＴＶ局１００に返送する。ＣＡＴＶ局１００は無線タグ「Ｔ２２１Ａ１が無線タグリーダ「２１１ＢＲ」にあることをＳＴＢＳ２２１Ａ１に返送する。ＳＴＢのＳ２２１Ａ１での表示方法は実施の形態１と同様のため省略する。
【０１０１】
無線タグの信号を受信した場合の無線タグリーダの動作について、図１３を用いて詳細に説明する。
【０１０２】
図１３において、Ｒ９０は配下で検出された無線タグ情報を管理する配下信号部、Ｒ９１は配下の無線タグに関する情報を保持する配下情報保持部、Ｒ９２は配下情報保持部Ｒ９１で保持された情報を読み出したり、書き込んだりする配下情報制御部である。図５とはホームリーダ部Ｒ２０の代わりに配下情報部Ｒ９０が設けられているだけである。
【０１０３】
無線信号受信部Ｒ３０で無線タグＴ２２１Ａ１の情報を受信すると、受信信号保持部Ｒ４０では受信した信号をいったん保持する。なお、無線信号受信部Ｒ３０は一般的な無線タグリーダの読み取り部と同様のものであり、アンテナも含まれる。受信情報保持部Ｒ４０で保持される情報は図１４で示された、無線信号受信部Ｒ３０から送られてくる情報に加え、時刻情報生成部Ｒ８０で生成される現在時刻情報であり、これによって、受信された無線タグの情報と、受信した時刻が保持される。受信信号処理部Ｒ５０では受信信号保持部Ｒ４０に保存された信号をネットワーク接続部Ｒ６０を経由して上位層の無線タグリーダ２２０ＡＲに送信する。図１４は図２のホームリーダＩＤのＤ１０２がない構成である。なお、図２と同一構成でも同等の効果が得られる。
【０１０４】
次に下位層の無線タグリーダが無線タグを受信した場合の処理の流れについて無線タグリーダ２２０ＡＲの動作を図１５の流れ図を用いて説明する。なお、無線タグリーダの構成は図１４と同じである。
【０１０５】
無線タグリーダは処理を開始し（Ｓ１５０１）、下位の無線タグリーダである２２１ＡＲから無線タグを検出した通知があると（Ｓ１５０２）、検出した無線タグのＩＤ（ここでは２２１Ａ１）を読み出し（Ｓ１５０３）、チェックする（Ｓ１５０４）。もし、既に配下の他の無線タグリーダ（ここでは２１１ＡＲや２３１ＡＲ）が検出したことがあれば、検出した無線タグリーダのＩＤを書き替えて記憶し（Ｓ１５０５）、このデータに関する処理を終了する（Ｓ１５０８）。もし、検出したことがなければ、無線タグリーダのＩＤと無線タグＩＤを記憶し（Ｓ１５０６）、上位の無線タグリーダ（ここでは２００ＡＲ）に通知して（Ｓ１５０７）、このデータに関する処理を終了する（Ｓ１５０８）。下位層の無線タグリーダが無線タグを検出できなくなった場合も同様の処理の流れとなる。
【０１０６】
図１６に無線タグリーダが保持する、無線タグの情報の例を示す。
【０１０７】
図１６において、Ｄ１３０は最上位階層の無線タグリーダ２００Ｒが保持する無線タグの情報、Ｄ１４０は無線タグ２００ＡＲが保持する情報、Ｄ１４１は最初に無線タグＴ２２１Ａ１が無線タグリーダ２２１ＡＲで検出されたときの無線タグリーダ２００ＡＲが保持していた情報、Ｄ１４２は無線タグＴ２２１Ａ１が無線タグリーダ２３１ＡＲで検出されたときの無線タグリーダ２００ＡＲが保持していた情報、Ｄ１５０は無線タグリーダ２２１ＡＲが無線タグを検出したときの情報構成例である。
【０１０８】
無線タグリーダ２００ＲではＤ１３０にあるように、１階層下の無線タグリーダのＩＤとＳＴＢ＿ＩＤおよび、それらの無線タグリーダ配下にある無線タグの情報を保持する。
【０１０９】
無線タグが移動した場合はＤ１４１からＤ１４２のように、情報を書き換える。なお、０ｘｆｆｆｆは無線タグが検出されていない状態である。
【０１１０】
無線タグを検出した場合は、Ｄ１５０に示すように、検出した無線タグのＩＤとＳＴＢ＿ＩＤおよび、検出したことを知らせるフラグおよび検出時刻を記憶しておき、問い合わせがあった場合は、実施の形態１同様、保持しているＳＴＢ＿ＩＤとリクエストのあったＳＴＢ＿ＩＤを比較し、一致した場合のみ検出した無線タグのＩＤ、自身の無線タグＩＤ及び検出時刻をＣＡＴＶ局１００に返送する。これにより不正なＳＴＢからの要求を排除することが可能となる。
【０１１１】
なお、ＳＴＢからのリクエスト信号はＣＡＴＶ局１００でなく、無線タグリーダ２００Ｒに直接発行してもよい。
【０１１２】
また、無線タグリーダ２１１ＢＲが受信したことは、あらかじめひとつ上の階層の無線タグリーダ２１０ＢＲに伝えておき、無線タグリーダ２１０ＢＲが、無線タグＴ２２１Ａ１が無線タグリーダ２１１ＢＲの配下にあることをＣＡＴＶ局１００に返送してもよい。
【０１１３】
また、ＳＴＢ＿ＩＤと無線タグＩＤの組み合わせはＣＡＴＶ局１００で保持し、ＳＴＢから無線タグリクエストの要求があった場合、要求のあったＳＴＢ＿ＩＤが無線タグＩＤとの組み合わせに一致しているかを確認し、一致した場合のみ無線タグリーダにリクエスト信号を転送して、無線タグの情報収集要求はあらかじめ登録されたＳＴＢからだけ行うことが可能となるようにしてもよい。
【０１１４】
これにより、無線タグが移動した場合でも、階層を超えた移動の場合にしか信号が発生しないため、ＣＡＴＶ局の負荷やネットワークのトラフィック量を軽減することが可能となる。
【０１１５】
（実施の形態３）
次に、ＣＡＴＶ局で無線タグから得た情報を基に地図情報などを生成してＳＴＢに送信する場合の発明の実施の形態について説明を、図１７を用いて行う。
【０１１６】
図１７において、１００はＣＡＴＶ局、１０１は無線タグの情報を保持する無線タグ情報保持部、１０２は無線タグ情報を無線タグリーダから取得する無線タグ情報取得部、１０３はＳＴＢへ送信する地図情報等を生成する情報生成部、１０４は無線タグの情報を送信する無線タグ情報送信部、１０５はネットワーク接続部、１０６はＣＡＴＶネットワークへ信号を出力するために変復調を行う変復調部、１０７は通常の放送処理を行う放送部である。なお、無線タグの情報収集手段としては、実施の形態２で説明した手段を例に用いる。
【０１１７】
実施の形態２で説明したように、無線タグを検出した無線タグリーダのＩＤが無線タグリーダ２００ＲあるいはＣＡＴＶ局１００に送られてくる。本実施の形態では実施の形態２同様、無線タグリーダ２００Ｒに無線タグの情報が送られてきているとする。ＳＴＢから無線タグ情報の収集要求が変復調部１０７及びネットワーク接続部１０６経由で送られてくると、無線タグ情報取得部１０２は無線タグを検出した無線タグリーダのＩＤを無線タグリーダ２００Ｒに問い合わせて取得し、無線タグ情報保持部１０１で保持する。保持された無線タグリーダＩＤは情報生成部１０３で読み出され、無線タグ情報送信部１０４でＢＭＬ（Ｂｒｏａｄｃａｓｔ  Ｍａｒｋｕｐ  Ｌａｎｇｕａｇｅ）フォーマットに変換して、ネットワーク変換部１０５から出力される。
【０１１８】
情報生成部１０３の処理について、図１８を用いて詳細に説明する。
【０１１９】
図１８において、１０３１はＣＡＴＶネットワーク上の無線タグリーダの位置情報を保持するタグリーダ座標情報保持部、１０３２は無線タグ情報保持部１０１から無線タグリーダＩＤを読み出し、無線タグリーダＩＤの位置情報をタグリーダ座標情報保持部１０３１から読み出す無線タグ情報読出し部、１０３３はＣＡＴＶネットワークが張られている地図情報を保持している地図情報保持部、１０３４は地図情報保持部１０３３から地図情報を読み出す地図情報読出し部である。
【０１２０】
無線タグ情報保持部１０１にタグリーダＩＤが格納されると、無線タグ情報読出し部１０３２はタグリーダ座標情報保持部１０３１から読み出した無線タグリーダの座標軸情報を読み出す。タグリーダ座標情報保持部１０３１に格納されているデータの構成例を図１９に示す。Ｄ１５０に示すように、無線タグリーダのＩＤと、無線タグリーダが地図情報保持部１０３３に保持されている地図上のどの位置に存在するかを示した座標を、縦軸をＸ、横軸をＹにとってあらわしている。無線タグ情報読出し部１０３２は読み出した無線タグのＩＤと座標を地図情報読出し部１０３４に送る。地図情報読出し部１０３４では、無線タグ情報読出し部１０３２から送られてきた座標が中心来るように地図情報保持部１０３３から地図情報を読み出す。即ち、送られてきた座標が、Ｘ＝１００，Ｙ＝２００であれば、Ｘ＝５０〜１５０、Ｙ＝１５０〜２５０の地図情報を地図情報保持部１０３３から読み出す。
【０１２１】
なお、読み出す地図の大きさはプラスマイナス５０を例にとって表したが、大きさは規定しない。地図情報読出し部１０３４で読み出された情報は無線タグ情報送信部１０４に送られて、ＢＭＬに変換されて送信される。
【０１２２】
また、あらかじめ地図情報保持部１０３３にＢＭＬデータで格納されていても同等の効果が得られる。
【０１２３】
あるいは、地図情報保持部１０３３には無線タグリーダを中心とした分割地図情報が格納されていて、地図情報読出し部１０３４では図２０のＤ１６０に示すような無線タグリーダＩＤと分割地図情報の関連表を保持しておいて、該当する無線タグリーダが中心となる分割地情報を地図情報保持部１０３３から読み出して送信しても同等の効果が得られる。Ｄ１６１は分割地図情報の一例である。
【０１２４】
（実施の形態４）
次に、ＣＡＴＶ局から地図情報を分割して送出し、ＳＴＢで地図情報と無線タグの位置情報を結合して表示する場合について、図２１を用いて説明する。
【０１２５】
図２１において、１０３５は地図情報保持部１０３１から読み出した地図情報を繰り返し送信する地図情報連続読出し部である。なお、地図情報保持部１０３３には無線タグリーダを中心に分割した地図情報を保持しているものとする。無線タグ情報保持部１０１にタグリーダＩＤが格納されると、無線タグ情報読出し部１０３２は読み出したタグリーダＩＤを無線タグのリクエストを行ったＳＴＢに送信する。地図情報読出し部１０３５では、地図情報保持部１０３３から分割された地図情報を順に繰り返し読み出す。読み出された地図情報は中心にある無線タグリーダのＩＤを付与して、ＳＴＢに繰り返し送信する。
【０１２６】
ＳＴＢでは送信されてきたタグリーダＩＤを基に連続して送られてきている地図情報から該当する分割地図情報を受信して表示する。
【０１２７】
ＳＴＢの動作の流れを、図２２を用いて説明する。
【０１２８】
動作を開始すると（Ｓ２２０１）、ＣＡＴＶ局にリモコンなどで無線タグ情報収集のリクエスト信号を発行し（Ｓ２２０２）、無線タグを受信した無線タグリーダの無線タグリーダＩＤが送られてくるのを待つ（Ｓ２２０３）。無線タグリーダＩＤを受信すると（Ｓ２２０４）、次に、周期的に送られてくる分割地図情報の受信を行い（Ｓ２２０５）、分割地図情報に付与されている無線タグリーダＩＤのチェックを行う（Ｓ２２０６）。もし、先に受信した無線タグリーダＩＤと異なれば受信した地図情報を破棄して（Ｓ２２０７）、サイド受信を行う。一致すれば受信した地図情報をデコードして表示し（Ｓ２２０８）、処理を完了する。
【０１２９】
なお、無線タグリーダに無線タグの位置検出機能が搭載されている場合は、位置検出情報を無線タグリーダからの座標情報に置き換えることによってさらに詳細な位置検出が可能となる。
【０１３０】
（実施の形態５）
次に、中継装置と外部装置が得た情報をＳＴＢに送信する場合の、発明の実施の形態について説明を行う。まず、無線タグリーダの動作について図２３を用いて説明する。
【０１３１】
図２３において、Ｒ１００は外部装置と接続するインタフェース部、３００は外部装置の一例であるビデオカメラである。なお、他は図１３と同じであるため記号の説明は省略する。また受信した無線タグ情報の処理や無線タグＩＤとＳＴＢ＿ＩＤの組み合わせチェック等は実施の形態の２で説明した方法を例に説明する。
【０１３２】
無線信号受信部Ｒ３０で無線タグＴ１００の情報を受信すると、受信信号保持部Ｒ４０では受信した信号をいったん保持する。なお、無線信号受信部Ｒ３０は一般的な無線タグリーダの読み取り部と同様のものであり、アンテナも含まれる。受信情報保持部Ｒ４０で保持される情報は無線信号受信部Ｒ３０から送られてくる情報に加え、時刻情報生成部Ｒ８０で生成される現在時刻情報であり、これによって、受信された無線タグの情報と、受信した時刻が保持される。受信信号処理部Ｒ５０では受信信号保持部Ｒ４０に保存された信号を、ネットワーク接続部Ｒ６０を経由して上位層の無線タグリーダ２２０ＡＲに送信する。これにより、ＣＡＴＶ局あるいはＣＡＴＶ局に最も近いＢＡでは無線タグＴ１００が無線タグリーダ２２１ＡＲで受信したことを検索できるようになる。ＳＴＢがＣＡＴＶ局に無線タグの情報収集要求を出すと、ＣＡＴＶ局から無線タグリーダ２２１ＡＲに要求が転送される。ネットワーク接続部Ｒ６０では無線タグ情報のリクエスト要求があると、受信情報制御部Ｒ５０へ転送し、自身が受信した無線タグの情報収集リクエストであるかを確認する。自身宛であれば、インタフェース部Ｒ１００でビデオカメラ３００を制御してビデオカメラの撮影を開始し、撮影した信号を受信する。なお、インタフェース部Ｒ１００の制御プロトコルはＩＥＥＥ１３９４（Ｉｎｓｔｉｔｕｔｅ  ｏｆ  Ｅｌｅｃｔｒｉｃａｌ  Ｅｌｅｃｔｒｏｎｉｃ  Ｅｎｇｉｎｅｅｒｓ  １３９４）等一般的に知られた制御方法でよい。受信した撮影信号は、インタフェース部でリクエスト信号を発行したＳＴＢにＴＣＰ／ＩＰで定められたＲＴＰ（Ｒｅａｌ−ｔｉｍｅ  Ｔｒａｎｓｐｏｒｔ  Ｐｒｏｔｏｃｌ）等のリアルタイム伝送プロトコルにあったフォーマットに変換されて伝送される。ＳＴＢでは送られてきた信号をデコードすることによって、無線タグがいる場所の映像を視聴することが可能となる。
【０１３３】
インタフェース部の詳細な動作について図２４を用いて説明する。
【０１３４】
図２４において、Ｒ１００１はビデオカメラ３００を制御する外部装置制御部、Ｒ１００２はビデオカメラ３００から入力されたＡＶ信号のフォーマットを変換するＡＶ信号処理部、Ｒ１０３はＩＰでＡＶ信号のリアルタイム伝送を行うための処理を行うＲＴＰ処理部である。
【０１３５】
受信信号処理部Ｒ５０からＳＴＢからのリクエスト信号を受け取ると、ＳＴＢ＿ＩＤと無線タグＩＤのチェックを行い、無線タグＩＤの要求を行ったＳＴＢが無線タグＩＤとの組み合わせで保持されているＳＴＢ＿ＩＤと一致した場合、外部装置制御部Ｒ１００１はＩＥＥＥ１３９４インタフェースでビデオカメラの撮影を開始する信号を送る。外部装置制御部Ｒ１００１はＩＥＥＥ１３９４インタフェースでビデオカメラが受信した信号を受け取るとＡＶ信号処理部Ｒ１００２に信号を伝送する。ＡＶ信号処理部Ｒ１００２では、ビデオカメラ３００から送られてきた信号が圧縮率の低い信号や、ＲＴＰで規定されていないデータフォーマットの場合、ＭＰＥＧ２の低ビットレートのＡＶ信号に変換し、ＲＴＰ処理部Ｒ１００３に送信する。ＲＴＰ処理部Ｒ１００３ではＲＴＰフォーマットに変換して外部装置制御部Ｒ１００１から受け取ったＳＴＢのＩＰアドレス宛てに送信する。無線タグの信号を受信できなくなった時点で、外部装置制御部Ｒ１００１はビデオカメラ３００に撮影終了信号を送る。
【０１３６】
これにより、無線タグの居場所だけでなく、周りの映像音声の状態をＳＴＢで確認することが可能となる。
【０１３７】
なお、前記実施の形態ではビデオカメラは無線タグを受信した場合に動作していたが、ＳＴＢや局設備からの要求信号で動作することにより、緊急で人を探す場合などに用いることも可能となる。
【０１３８】
また、ネットワーク接続部Ｒ６０でＲＴＰ処理を行ってもよい。
【０１３９】
また、ＡＶ信号の転送フォーマットはＲＴＰに限定しない。
【０１４０】
また、ＡＶ信号の転送はファイル形式でもよい。
【０１４１】
また、撮影終了のタイミングはリクエスト要求後一定時間経過したときでもよい。
【０１４２】
（実施の形態６）
次に、無線タグが想定外の動きを示した場合にＳＴＢから異常を知らせる場合の発明の実施の形態について図９を用いて、説明を行う。なお、無線タグの情報収集の動作については実施の形態１と同じとして説明を行うが、他の実施方法でもよい。
【０１４３】
ＵＩ部４０７から無線タグ情報設定部４０１に異常状態の条件を設定する。異常条件としては、一定の速度を超えて移動している場合や、設定時刻に検出されるべき場所で検出されない場合、あるいは設定外の場所で検出された場合などが挙げられる。無線タグ情報要求部４０２ではホームリーダに対して周期的に無線タグ情報収集を行い、収集結果を無線タグ情報処理部４０４に送る。無線タグ情報処理部４０４では解析して、無線タグ情報設定部４０１で設定された異常状態の条件に当てはまった場合、無線タグ情報出力部４０５で異常を知らせる音声や映像信号を出力して、ＴＶ７００で表示することによって異常を加入者に知らせることが可能となる。例えば、無線タグリーダ間を５００ｍとし、無線タグリーダ間の移動が１分以内とすると、時速３０ｋｍ以上の速度で移動していることになり、子供が自分で移動しているとは考えられず、異常状態と認識できる。無線タグ情報設定部４０１で異常条件を無線タグリーダ間の移動を１分以内と設定した場合、無線タグ情報要求部４０２では３０秒以内の周期でホームリーダから無線タグの情報を収集し、無線タグ情報処理部４０４では情報収集ごとに無線タグが異なる無線タグリーダで検出していないかを確認し、もし確認されているようであれば異常を知らせる信号を出力するように無線タグ情報出力部４０５に命令する。その他、ＵＩ部４０７で設定時刻と無線タグリーダＩＤを設定して特定時刻に特定の場所にいない場合、例えば１９：００に塾にいるはずの場合、塾の近くの無線タグリーダＩＤで信号が検出されない場合、設定していない場所の無線タグリーダで検出された場合、設定された場所で検出された場合に異常を知らせる信号を出力するように無線タグ情報出力部４０５に命令することも可能である。
【０１４４】
（実施の形態７）
次に、無線タグの内部情報を書き換えることによって無線タグの有効性に制限を設ける場合の発明の実施の形態について説明を行う。まず、ＣＡＴＶ局１００の動作について図２５を用いて説明する。
【０１４５】
図２５において、１１０は無線タグ及びＳＴＢのＩＤを管理し、生成するＳＴＢおよび無線タグＩＤ生成部である。その他は図１７と同じであるため説明を省略する。
【０１４６】
ＳＴＢ及び無線タグＩＤ生成部１１０では、無線タグと無線タグを管理する受信機の新しい固有情報を生成して、現在の固有情報と現在の時刻情報をともに、ネットワーク接続部１０５経由でＳＴＢに送信する。ＳＴＢに送信するデータの構成例を図２６に示す。
【０１４７】
図２６において、Ｄ１７１は送られてきた情報のコマンド種別、Ｄ１７２は現在用いられている固有情報、Ｄ１７３は新しい固有情報、Ｄ１７４は新しい固有情報が書き込まれた時刻である。
【０１４８】
なお、書き替えた情報は無線タグ情報保持部１０１にも記憶することによって、ＳＴＢから無線タグの情報収集要求があった場合、正式なＳＴＢからの要請であるかを認証することも可能となる。
【０１４９】
次に、ＳＴＢでの動作について、図２６を用いて説明する。
【０１５０】
図２７において、４０８はＣＡＴＶ局から送られてきたＳＴＢ及び無線タグのＩＤを保持する固有情報保持部、４０９は固有情報保持部４０８の内容を追加したり書き換えたりする固有情報書替え部である。その他は図９と同じであるため説明を省略する。
【０１５１】
ＣＡＴＶ局からネットワークを経由して固有情報が送られてきたら、固有情報書替え部４０９は固有情報保持部４０８の内容を書き換える。併せて、無線タグの固有情報も書き換える。この時、書き替えた時刻も一緒に無線タグに通信する。無線タグとは専用の通信プロトコルで通信してもよいし、ＩＥＥＥ１３９４やＵＳＢインタフェース等の一般的な通信板フェースを用いてもよい。固有情報保持部４０８に書き込まれた値を無線タグ情報設定部４０１に送ることによって、無線タグとは新しい固有情報を基に通信することが可能となる。
【０１５２】
続いて無線タグの動作について図２６及び図２８を用いて、また処理の流れについては図２９を用いて説明する。
【０１５３】
図２８において、Ｔ１０５は現在時刻を生成する時刻情報生成部、Ｔ１０６はＩＤ保持部Ｔ１０１の情報を書き換える内部情報書替え部、Ｔ１０７はＳＴＢから送られてきた固有情報を保持する固有情報保持部、４００は無線タグＴ１００を所有する加入者宅のＳＴＢである。
【０１５４】
ＳＴＢ４００から固有情報保持部Ｔ１０７に固有情報が書き込まれる（Ｓ２９０１）。
【０１５５】
内部情報書替え部Ｔ１０６は固有情報保持部Ｔ１０７から情報を読み出すと（Ｓ２９０２）、まず図２６に示すコマンド種別Ｄ１７１を確認し、書替えコマンドであることを確認する。書替え以外には読出しや消去、書き込みなどのコマンドがある。次に（Ｓ２９０３）、現在固有情報Ｄ１７２を読み出すと（Ｓ２９０４）、ＩＤ情報保持部Ｔ１０１から現在の固有情報を読出し（Ｓ２９０５）、比較する（Ｓ２９０６）。一致しなければ、不正書替えか他の無線タグ用の固有情報として、書替えを行わず、固有情報保持部Ｔ１０７の情報を消去する（Ｓ２９０７）。一致した場合は、ＩＤ情報保持部Ｔ１０１へ新しい情報として書き込むとともに（Ｓ２９０８）、時刻情報Ｄ１７４もＩＤ情報保持部Ｔ１０１へ書き込む（Ｓ２９０９）。これにより新しい固有情報の書替えが完了する。新しい固有情報の有効期限を１日とした場合、固有情報保持部Ｔ１０７は定期的に固有情報保持部Ｔ１０７に格納されて入れる時刻情報を読出し（Ｓ２９１０）、時刻情報生成部Ｔ１０５で生成される現在時刻と比較し（Ｓ２９１１）、１日が過ぎた場合は、ＩＤ情報保持部Ｔ１０１の情報を出力不可とする（Ｓ２９１２）。これにより、定期的に情報を書き替えないと無線タグの情報を収集することが不可能となり、知らないうちに第三者に無線タグを持たされた場合でも、無制限に情報を収集されることを防ぐことが可能となる。
【０１５６】
なお、有効期限が切れた場合には無線タグから図示しないメモリにあらかじめ保持していた無効を知らせる情報や、でたらめな情報あるいは保持している有効情報自体を書き換えて出力しても同様の効果が得られる。
【０１５７】
また、有効期限が切れた場合、固有情報保持部Ｔ１０７の情報を消去すると、誤って書替えを忘れた場合、現在固有情報が読み出せず、書替えができなくなるので、消去ではなく出力不可としたが、プライバシー保護のため使用条件をより厳しくする場合は固有情報消去でもよい。
【０１５８】
また、有効期限の長さは１日を例に説明したが特に規定しない。
【０１５９】
また、Ｄ１７４には現在時刻ではなく有効期限を書き込んでもよい。
【０１６０】
また、ＳＴＢと無線タグのＩＤを別にすることによって、無線タグの情報を受信しただけではＳＴＢのＩＤが判別できないので、成りすましによる無線タグ情報の不正収集を防ぐことも可能となる。
【０１６１】
次に、ＳＴＢが無線タグの固有情報を管理し、無線タグの固有情報を書き換える場合について図２６から図２８を用いて説明する。
【０１６２】
ＳＴＢ４００の固有情報書替え部４０９では図２８で示すデータに加え、ＳＴＢの固有情報をあらかじめ無線タグに送り、無線タグＴ１００のＩＤ情報保持部Ｔ１０１では自身の固有情報や有効期限に加え、自分が所属するＳＴＢのＩＤを格納する。以降、固有情報を書き換える場合は現在の固有情報に加え、ＳＴＢのＩＤをチェックすることによって、他人のＳＴＢで固有情報を書き換えられる事を防ぐことが可能となる。
【０１６３】
また、本実施の形態は実施の形態１から実施の形態６で用いられたＳＴＢ＿ＩＤと無線タグＩＤチェックの代わりに適用することも可能である。
【０１６４】
（実施の形態８）
次に、無線タグの使用者に無線タグの動作状況を通知する場合の、発明の実施の形態について図３０を用いて、説明を行う。
【０１６５】
図３０において、Ｔ１０８は無線タグリーダからの信号を受信する受信部、Ｔ１０９は受信した信号を処理する受信信号処理部、Ｔ１１０は無線タグリーダからの信号を受信したことを無線タグ保持者に知らせる信号受信通知部、Ｔ１１１は、無線タグリーダへ信号を送信したことを知らせる信号送信通知部である。
【０１６６】
まず、無線タグが無線タグリーダからの信号を受信したことを知らせる場合について説明する信号を送信する無線タグの構成を図３１に示す。
【０１６７】
図３１において、Ｒ３１は無線タグへ信号を出力する無線信号出力部である。他は図９と同じであるため説明を省略する。
【０１６８】
ＳＴＢでは無線タグ情報収集要求と同様の手順で無線タグへの信号発信要求を発行する。ＳＴＢから要求があると実施の形態２で説明した手順で無線タグへＳＴＢから要求が到達する。受信信号制御部Ｒ５０で信号送信要求を受信すると、無線信号出力部Ｒ３１を制御して無線タグに信号を送信する。この時、無線タグのＩＤを一緒に送る。
【０１６９】
無線タグＴ１００では、受信部Ｔ１０８で信号を受信すると、受信信号処理部Ｔ１０９で無線タグＩＤを解析し、ＩＤ読出し部Ｔ１０２を制御してＩＤ保持部Ｔ１０１で保持されているＩＤと比較して、一緒であれば信号受信通知部Ｔ１１０に信号を送る。信号受信通知部Ｔ１１０では信号を出力して無線タグ保持者に信号受信を知らせる。
【０１７０】
なお、信号通知部Ｔ１１０はＬＥＤや液晶ディスプレイ等の表示装置や音声発生器等一般的に用いられる信号発生器でよい。
【０１７１】
これにより、無線タグ情報収集システムを用いて加入者宅から無線タグ保持者に連絡することが可能となる。
【０１７２】
同様に無線タグが無線タグリーダへ信号を送信したことを知らせる場合については送信部Ｔ１０３から信号を送出する際、信号送信通知部Ｔ１１１へ信号を送る。信号送信通知部Ｔ１１１では信号を出力して無線タグ保持者に信号受信を知らせる。信号送信通知部Ｔ１１１は信号受信通知部Ｔ１１０と同一構成でよい。
【０１７３】
これにより、無線タグ保持者は無線タグリーダに情報を読み取られていることが分かり、第三者に自分が知らないうちに無線タグを持たされていた場合に気付くことが可能となる。
【０１７４】
また、無線タグが発信する信号を、無線タグ自身が受信部Ｔ１０８で受信することにより、無線タグが発信した情報を別の無線タグでも受信し、その情報を無線タグリーダに送信することにより、無線タグの出力信号が無線タグリーダに届かない場所にいても、近くの無線タグを経由することで無線タグリーダに転送することが可能となり、より多くのエリアをカバーすることも可能となる。
【０１７５】
（実施の形態９）
次に、無線タグの使用者が無線タグを使って情報を通知する場合の、発明の実施の形態について図３２を用いて、説明を行う。
【０１７６】
図３２において、Ｔ１１２は無線タグ使用者が情報を入力する情報入力部である。他は図３０と同じであるため説明を省略する。
【０１７７】
無線タグ保持者は情報入力部Ｔ１１２で情報を入力すると、ＩＤ保持部Ｔ１０１に一旦保持される。以降は、ＩＤ読出し部Ｔ１０２で入力された情報を読出し、ＩＤ保持部に保持された固有情報と同様の処理で無線タグリーダに出力される。
【０１７８】
情報入力部Ｔ１１２はボタンやスイッチ等一般的なユーザーインタフェースを持った入力装置であり、入力された情報とデコードしてＩＤ保持部Ｔ１０１へ書き込む機能を持つ。
【０１７９】
なお、これまでの実施の形態では無線タグ自身が信号を出力する無線タグを例に説明してきたが、図３１に示すような無線タグリーダの場合、無線タグリーダからの送信信号を受信して無線タグが電磁誘導などで発電し、信号を返信する無線タグでも同様の効果が得られる。
【０１８０】
また、これまでの実施の形態では無線タグリーダはＢＡやＥＡおよびＴＯの前段に設置した例を説明してきたが、ＢＡやＥＡの場合は後段でも全く同様の効果が得られる。ＴＯの場合はＴＯで電源がカットされているため後段に設置する場合は別途無線タグリーダに電源を供給することにより同様の効果が得られる。
【０１８１】
また、これまでの実施の形態では無線タグリーダはＢＡやＥＡおよびＴＯと別の構成で説明してきたが、無線タグリーダをＢＡやＥＡおよびＴＯと一体化して内蔵した構成でも同様の効果が得られる。
【０１８２】
また、構成上、ＢＡやＥＡ等の中継装置以外にも、ＴＯ出口までの同軸のケーブル線上であれば場所を問わず電源供給が可能であるので無線タグリーダを設置することが可能となる。
【０１８３】
また、これまでの実施の形態は無線タグを人ではなく、物に装着することによって、盗難品の追跡などに用いることが可能となる。
【０１８４】
また、これまでの実施の形態では無線タグリーダの電源はＣＡＴＶケーブルから供給していたが、太陽電池やバッテリーなど外部から供給されてもよい。
【０１８５】
また、用途に応じて、無線タグＩＤと組み合わせ可能なＳＴＢ＿ＩＤを複数登録してもよい。
【０１８６】
あるいは、ＳＴＢ＿ＩＤを０ｘｆｆｆｆなど特定の条件にすればどのＳＴＢからのも呼び出し可能との条件設定を行うことも可能である。
【産業上の利用可能性】
【０１８７】
本発明に係る情報収集システムは、家庭から子供の所在や移動履歴を確認することができる広域安全システムとして有用である。子供だけでなく徘徊老人の行動監視や物品の盗難防止にも利用できる。また、店舗における品物の状態を家庭から確認するような買い物システムなどにも応用することができる。また、家庭内の物品に装着しておくことで盗難品の追跡などにも応用することが可能となる。
【図面の簡単な説明】
【０１８８】
【図１】本発明の実施の形態１におけるシステムのネットワーク構成図
【図２】本発明の実施の形態１における無線タグが出力する信号の構成例を示す図
【図３】本発明の実施の形態１における、無線タグリーダが保持するホームリーダＩＤとホームリーダのＩＰアドレスを変換する変換テーブルの構成例を示す図
【図４】本発明の実施の形態１における、ホームリーダが保持する無線タグの通過履歴情報を示す図
【図５】本発明の実施の形態１における無線タグリーダの構成図
【図６】本発明の実施の形態１における、無線タグの信号を受信した無線タグリーダの処理の流れを示す図
【図７】本発明の実施の形態１における、他の無線タグリーダから自身のホーム信号を送られてきた場合の無線タグリーダの動作の流れを示す図
【図８】本発明の実施の形態１における、ＳＴＢから無線タグ情報収集のリクエストがあった場合の無線タグリーダの処理の流れを示す図
【図９】本発明の実施の形態１における、無線タグの情報を収集するＳＴＢのＳ２２１Ａ１の構成例を示す図
【図１０】本発明の実施の形態１における、ＳＴＢが保持する無線タグリーダＩＤと所在の場所を関連付けた変換テーブルを示す図
【図１１】本発明の実施の形態１における、無線タグの構成例を示す図
【図１２】本発明の実施の形態２における、システムのネットワーク構成図
【図１３】本発明の実施の形態２における、無線タグリーダの構成例を示す図
【図１４】本発明の実施の形態２における、無線タグが出力するデータの構成例を示す図
【図１５】本発明の実施の形態２における、下位層の無線タグリーダが無線タグを受信した場合の処理の流れを示す図
【図１６】本発明の実施の形態２における、無線タグリーダが保持する、無線タグの情報の例を示す図
【図１７】本発明の実施の形態３における、ＣＡＴＶ局設備の構成例を示す図
【図１８】本発明の実施の形態３における、ＣＡＴＶ局設備の情報生成部の構成例を示す図
【図１９】本発明の実施の形態３における、タグリーダ座標情報保持部に格納されているデータの構成例を示す図
【図２０】本発明の実施の形態３における、無線タグリーダＩＤと分割地図情報の関連表及び分割地図の例を示す図
【図２１】本発明の実施の形態４における、地図情報を分割して送出する場合のＣＡＴＶ局設備の情報生成部の構成例を示す図
【図２２】本発明の実施の形態４における、ＳＴＢの処理の流れを示す図
【図２３】本発明の実施の形態５における、無線タグリーダの構成例を示す図
【図２４】本発明の実施の形態５における、無線タグリーダのインタフェース部の構成例を示す図
【図２５】本発明の実施の形態７における、ＣＡＴＶ局設備の構成例を示す図
【図２６】本発明の実施の形態７における、ＣＡＴＶ局から送信されるデータの構成例を示す図
【図２７】本発明の実施の形態７における、ＳＴＢの構成例を示す図
【図２８】本発明の実施の形態７における、無線タグの構成例を示す図
【図２９】本発明の実施の形態７における、無線タグの処理の流れを示す図
【図３０】本発明の実施の形態８における、無線タグの構成例を示す図
【図３１】本発明の実施の形態８における、無線タグリーダの構成例を示す図
【図３２】本発明の実施の形態９における、無線タグの構成例を示す図
【図３３】従来の無線タグ情報収集システムの構成例を示す図
【図３４】ＣＡＴＶネットワークの構成例を示す図
【符号の説明】
【０１８９】
１００    ＣＡＴＶ局
１０１    無線タグの情報を保持する無線タグ情報保持部
１０２    無線タグ情報を無線タグリーダから取得する無線タグ情報取得部
１０３    ＳＴＢへ送信する地図情報等を生成する情報生成部
１０３１    ＣＡＴＶネットワーク上の無線タグリーダの位置情報を保持するタグリーダ座標情報保持部
１０３２    無線タグ情報保持部１０１から無線タグリーダＩＤを読み出し、無線タグリーダＩＤの位置情報をタグリーダ座標情報保持部１０３１から読み出す無線タグ情報読出し部
１０３３    ＣＡＴＶネットワークが張られている地図情報を保持している地図情報保持部
１０３４    地図情報を読み出す地図情報読出し部
１０３５    読み出した地図情報を繰り返し送信する地図情報連続読出し部
１０４    無線タグの情報を送信する無線タグ情報送信部
１０５    ネットワーク接続部
１０６    ＣＡＴＶネットワークへ信号を出力するために変復調を行う変復調部
１０７    通常の放送処理を行う放送部
１１０    無線タグ及びＳＴＢのＩＤを管理し、生成するＳＴＢおよび無線タグＩＤ生成部
２００，２００Ａ，２００Ｂ，２００Ｃ    ＣＡＴＶネットワークの幹線を分岐するための分岐器（ＢＡ）
２１０Ａ，２２０Ａ，２３０Ａ，２１０Ｂ，２１０Ｃ，２２０Ｃ，２３０Ｃ    ＣＡＴＶネットワークの幹線を拡張するために信号の増幅などを行う延伸器（ＥＡ）
２１１Ａ，２１２Ａ，２１３Ａ，２１１Ｂ，２１１Ｃ，２１２Ｃ，２１３Ｃ    幹線から各家庭に信号を分岐するためのタップオフ装置（ＴＯ）
２１２Ａ１，２１２Ａ２，２１２Ａ３，２１２Ａ１，２１２Ａ２，２１２Ａ３    ＣＡＴＶ加入宅
２００Ｒ，２００ＡＲ，２００ＢＲ，２００ＣＲ，２２０ＡＲ，２１０ＣＲ，２２１ＡＲ，２１１ＣＲ    通信機能を持つ無線タグリーダ
３００    外部装置の一例であるビデオカメラ
４００    ＳＴＢ
４０１    所有する無線タグに関する情報を設定する無線タグ情報設定部
４０２    無線タグの情報を取得するためＣＡＴＶネットワークを介してホームリーダなどに要求する無線タグ情報要求部
４０３    ＣＡＴＶネットワークに接続するためのネットワーク接続部
４０４    ネットワーク接続部４０３経由で収集された情報を処理する無線タグ情報処理部
４０５    無線タグ情報処理部４０４で受信した収集された無線タグの情報を外部へ出力する無線タグ情報出力部
４０６    ＣＡＴＶ網から送られてくるテレビ放送などの信号を処理する放送処理部
４０７    ＳＴＢの使用者が無線タグ情報の収集を行い、表示するための信号を入力するＵＩ部
４０８    ＣＡＴＶ局から送られてきたＳＴＢ及び無線タグのＩＤを保持する固有情報保持部
４０９    固有情報保持部４０８の内容を追加したり書き換えたりする固有情報書替え部
５００    放送信号とＩＰなどのネットワーク信号を別に処理するために、ＣＡＴＶ信号を分岐する分岐器
６００    外的要因から宅内の機器を保護する保安器
７００    ＴＶ
Ｄ１０１    本発明の無線タグ情報収集システムを用いたＣＡＴＶ局で行われるサービスの種別を示すサービスＩＤ
Ｄ１０２    無線タグのホームリーダを示すホームリーダＩＤ
Ｄ１０３    無線タグ自身の識別を行う無線タグＩＤ
Ｄ１０４    各ＳＴＢの固有ＩＤ
Ｄ１１０    ホームリーダＩＤとＩＰアドレスの変換テーブル
Ｄ１１１    ホームリーダが保持する無線タグＩＤとＳＴＢ＿ＩＤの関連表
Ｄ１１２    無線タグの信号を受信した無線タグリーダと受信時刻の表
Ｄ１２０    あらかじめ保持していた無線タグリーダＩＤと所在の場所を関連付けた変換テーブル
Ｄ１２１    無線タグ通過履歴の表示形式の一例
Ｄ１３０    最上位階層の無線タグリーダが保持する無線タグの情報
Ｄ１４０    無線タグが保持する情報
Ｄ１４１    最初に無線タグＴ２２１Ａ１が無線タグリーダ２２１ＡＲで検出されたときの無線タグリーダ２００ＡＲが保持していた情報
Ｄ１４２    無線タグＴ２２１Ａ１が無線タグリーダ２３１ＡＲで検出されたときの無線タグリーダ２００ＡＲが保持していた情報
Ｄ１５０    無線タグリーダ２２１ＡＲが無線タグを検出したときの情報構成例
Ｄ１６０    無線タグリーダＩＤと分割地図情報の関連
Ｄ１６１    分割地図情報の一例
Ｄ１７１    送られてきた情報のコマンド種別
Ｄ１７２    現在用いられている固有情報
Ｄ１７３    新しい固有情報
Ｄ１７４    新しい固有情報が書き込まれた時刻
Ｒ１０    無線タグリーダの電源供給部
Ｒ２０    無線タグリーダ２２１ＡＲをホームリーダとする無線タグの情報を処理するホームリーダ部
Ｒ２１    無線タグリーダ２２１ＡＲをホームリーダとしている無線タグの情報を保持しておくホーム信号保持部
Ｒ２２    ホーム信号保持部Ｒ２１に書き込みを行うホーム信号制御部
Ｒ３０    無線タグの信号を受信する無線信号受信部
Ｒ３１    無線タグへ信号を出力する無線信号出力部
Ｒ４０    無線信号受信部で受信した信号を保持する受信信号保持部
Ｒ５０    受信した無線タグ信号の処理を行う受信信号処理部
Ｒ６０    ＣＡＴＶネットワークに接続するためのネットワーク接続部
Ｒ７０    ケーブル線と結合するための結合部
Ｒ８０    時刻情報を生成する時刻情報生成部
Ｒ９０    配下で検出された無線タグ情報を管理する配下信号部
Ｒ９１    配下の無線タグに関する情報を保持する配下情報保持部
Ｒ９２    配下情報保持部Ｒ９１で保持された情報を読み出したり、書き込んだりする配下情報制御部
Ｒ１００    外部装置と接続するインタフェース部
Ｒ１００１    ビデオカメラを制御する外部装置制御部
Ｒ１００２    ビデオカメラから入力されたＡＶ信号のフォーマットを変換するＡＶ信号処理部
Ｒ１０３    ＩＰでＡＶ信号のリアルタイム伝送を行うための処理を行うＲＴＰ処理部
Ｓ２２１Ａ１，Ｓ２１１Ｃ１    ＳＴＢ
Ｔ１００    無線タグ
Ｔ１０１    各無線タグ固有の無線タグＩＤおよびホームリーダＩＤを保持するＩＤ保持部
Ｔ１０２    ＩＤ保持部Ｔ１０１に保持されている情報を読み出すＩＤ読み出し部
Ｔ１０３    送信部
Ｔ１０４    必要に応じて電波の受信も行う通信部
Ｔ１０５    現在時刻を生成する時刻情報生成部
Ｔ１０６    ＩＤ保持部Ｔ１０１の情報を書き換える内部情報書替え部
Ｔ１０７    ＳＴＢから送られてきた固有情報を保持する固有情報保持部
Ｔ１０８    無線タグリーダからの信号を受信する受信部
Ｔ１０９    受信した信号を処理する受信信号処理部
Ｔ１１０    無線タグリーダからの信号を受信したことを無線タグ保持者に知らせる信号受信通知部
Ｔ１１１    無線タグリーダへ信号を送信したことを知らせる信号送信通知部
Ｔ１１２    無線タグ使用者が情報を入力する情報入力部
Ｔ２２１Ａ１    無線タグ
ｘ１，ｘ２，ｘ３    従来技術における撮像・監視手段
ｘ１０    従来技術における統轄管理するシステム管理手段
ｘ２０，ｘ３０    被撮像・監視対象である移動体
ｘ２２，ｘ３２    識別信号発生手段
ｘＡ，ｘＢ，ｘＣ    監視可能な領域
【図１】
2005354247.tif 000003
【図２】
2005354247.tif 000004
【図３】
2005354247.tif 000005
【図４】
2005354247.tif 000006
【図５】
2005354247.tif 000007
【図６】
2005354247.tif 000008
【図７】
2005354247.tif 000009
【図８】
2005354247.tif 000010
【図９】
2005354247.tif 000011
【図１０】
2005354247.tif 000012
【図１１】
2005354247.tif 000013
【図１２】
2005354247.tif 000014
【図１３】
2005354247.tif 000015
【図１４】
2005354247.tif 000016
【図１５】
2005354247.tif 000017
【図１６】
2005354247.tif 000018
【図１７】
2005354247.tif 000019
【図１８】
2005354247.tif 000020
【図１９】
2005354247.tif 000021
【図２０】
2005354247.tif 000022
【図２１】
2005354247.tif 000023
【図２２】
2005354247.tif 000024
【図２３】
2005354247.tif 000025
【図２４】
2005354247.tif 000026
【図２５】
2005354247.tif 000027
【図２６】
2005354247.tif 000028
【図２７】
2005354247.tif 000029
【図２８】
2005354247.tif 000030
【図２９】
2005354247.tif 000031
【図３０】
2005354247.tif 000032
【図３１】
2005354247.tif 000033
【図３２】
2005354247.tif 000034
【図３３】
2005354247.tif 000035
【図３４】
2005354247.tif 000036